(57)【要約】  本開示は、アップリンク波形取得方法、アップリンク波形フィードバック方法、端末および基地局を提供する。当該アップリンク波形取得方法において、端末の情報伝送用のアップリンク波形を取得することと、アップリンク波形に基づいて、情報の伝送を行うこととを含む。ここで、端末の情報伝送用のアップリンク波形を取得することは、プロトコルによって予め指定された所定条件とアップリンク波形との対応関係に基づいて、端末の現在の情報伝送用のアップリンク波形を特定すること、または、ネットワーク側から端末に対し特定され、所定メッセージによって送信された情報伝送用のアップリンク波形を受信すること、または、ネットワーク側から端末の報知情報に基づいてフィードバックされた端末の情報伝送用のアップリンク波形を受信することを含む。【選択図】  図１
2020501408.tif 000002
【特許請求の範囲】
【請求項１】
端末の情報伝送用のアップリンク波形を取得することと、
前記アップリンク波形に基づいて、情報の伝送を行うこととを含むアップリンク波形取得方法において、
前記の端末の情報伝送用のアップリンク波形を取得することは、
プロトコルによって予め指定された所定条件とアップリンク波形との対応関係に基づいて、端末の現在の情報伝送用のアップリンク波形を特定すること、または、
ネットワーク側から端末に対し特定され、所定メッセージによって送信された情報伝送用のアップリンク波形を受信すること、または、
ネットワーク側から端末の報知情報に基づいてフィードバックされた端末の情報伝送用のアップリンク波形を受信することを含むアップリンク波形取得方法。
【請求項２】
前記のプロトコルによって予め指定された所定条件とアップリンク波形との対応関係に基づいて、端末の現在の情報伝送用のアップリンク波形を特定することは、
プロトコルによって予め指定された周波数帯域とアップリンク波形との対応関係、および、端末の現在の動作周波数帯域または周波数に基づいて、情報伝送用のアップリンク波形を特定することを含み、ここで、
前記周波数帯域は、
ライセンス周波数帯域であるか否かに応じて区分されたライセンス周波数帯域とアンライセンス周波数帯域を含み、または、
周波数の高低に応じて区分された、第１所定周波数より高い周波数の周波数帯域と第１所定周波数以下の周波数の周波数帯域を含み、または、
周波数の高低に応じて区分された、第２所定周波数以上の周波数の周波数帯域と第２所定周波数より低い周波数の周波数帯域を含む請求項１に記載のアップリンク波形取得方法。
【請求項３】
前記のプロトコルによって予め指定された所定条件とアップリンク波形との対応関係に基づいて、端末の現在の情報伝送用のアップリンク波形を特定することは、
プロトコルによって予め指定された端末のサービス種類とアップリンク波形との対応関係、および、端末の現在のサービス種類に基づいて、情報伝送用のアップリンク波形を特定することを含む請求項１に記載のアップリンク波形取得方法。
【請求項４】
前記のプロトコルによって予め指定された所定条件とアップリンク波形との対応関係に基づいて、端末の現在の情報伝送用のアップリンク波形を特定することは、
プロトコルによって予め指定されたリンク種類とアップリンク波形との対応関係、および、端末の現在のリンク種類に基づいて、情報伝送用のアップリンク波形を特定することを含む請求項１に記載のアップリンク波形取得方法。
【請求項５】
前記所定メッセージは、
放送メッセージまたは専用メッセージである請求項１に記載のアップリンク波形取得方法。
【請求項６】
前記のネットワーク側から端末に対し特定され、所定メッセージによって送信された情報伝送用のアップリンク波形を受信することは、
ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することを含む請求項１に記載のアップリンク波形取得方法。
【請求項７】
前記のネットワーク側から端末の報知情報に基づいてフィードバックされた端末の情報伝送用のアップリンク波形を受信することは、
ダウンリンク測定結果情報および／またはアップリンク電力情報を含む報知情報をネットワーク側に送信することと、
ネットワーク側から前記報知情報に基づいて特定されてフィードバックされた端末の情報伝送用のアップリンク波形を受信することとを含む請求項１に記載のアップリンク波形取得方法。
【請求項８】
前記の報知情報をネットワーク側に送信することは、
ランダムアクセスプロセス中またはその後に報知情報をネットワーク側に送信することを含む請求項７に記載のアップリンク波形取得方法。
【請求項９】
前記の報知情報をネットワーク側に送信することは、
報知情報を生成するための、パス損失、ダウンリンク参照信号受信電力、ダウンリンク参照信号受信品質、現在の送信電力クラスまたはアップリンク電力ヘッドルームを含む参照データの参照値を取得することと、
前記参照値に基づいて、参照値または参照値と予め設定された閾値との差を含む前記報知情報を生成することと、
前記報知情報をネットワーク側に送信することとを含む請求項７に記載のアップリンク波形取得方法。
【請求項１０】
前記参照データにパス損失、ダウンリンク参照信号受信電力またはダウンリンク参照信号受信品質が含まれる場合、
前記の前記参照値に基づいて前記報知情報を生成することは、
端末のアップリンク電力オフセットを取得することと、
前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとを含む請求項９に記載のアップリンク波形取得方法。
【請求項１１】
前記の端末のアップリンク電力オフセットを取得することは、
端末の送信電力クラスおよびネットワーク側から予め設定された送信電力閾値に基づいて、端末のアップリンク電力オフセットを得ることを含む請求項１０に記載のアップリンク波形取得方法。
【請求項１２】
前記報知情報に参照値と予め設定された閾値との差が含まれる場合、
前記の前記参照値に基づいて前記報知情報を生成する前に、
ネットワーク側から送信される予め設定された閾値を受信することをさらに含む請求項９に記載のアップリンク波形取得方法。
【請求項１３】
前記報知情報に参照値と予め設定された閾値との差が含まれる場合、
前記の前記報知情報をネットワーク側に送信することは、
前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することを含む請求項９に記載のアップリンク波形取得方法。
【請求項１４】
前記参照データにパス損失または現在の送信電力クラスが含まれる場合、
前記のネットワーク側から前記報知情報に基づいて特定されてフィードバックされた端末の情報伝送用のアップリンク波形を受信することは、
パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、
パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することを含む請求項９に記載のアップリンク波形取得方法。
【請求項１５】
前記参照データにダウンリンク参照信号受信電力、ダウンリンク参照信号受信品質またはアップリンク電力ヘッドルームが含まれる場合、
前記のネットワーク側から前記報知情報に基づいて特定されてフィードバックされた端末の情報伝送用のアップリンク波形を受信することは、
ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、
ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することを含む請求項９に記載のアップリンク波形取得方法。
【請求項１６】
端末のアップリンク波形がＣＰ−ＯＦＤＭとＤＦＴ−ｓ−ＯＦＤＭの間で切り替わる場合、端末の送信電力調整に用いられる電力バックオフ値をネットワーク側から受信することをさらに含む請求項１に記載のアップリンク波形取得方法。
【請求項１７】
端末の情報伝送用のアップリンク波形を取得することに用いられる取得モジュールと、
前記アップリンク波形に基づいて、情報の伝送を行うことに用いられる伝送モジュールとを含む端末において、
前記取得モジュールは、
プロトコルによって予め指定された所定条件とアップリンク波形との対応関係に基づいて、端末の現在の情報伝送用のアップリンク波形を特定することに用いられる第１特定サブモジュール、または、
ネットワーク側から端末に対し特定され、所定メッセージによって送信された情報伝送用のアップリンク波形を受信することに用いられる第１受信サブモジュール、または、
ネットワーク側から端末の報知情報に基づいてフィードバックされた端末の情報伝送用のアップリンク波形を受信することに用いられる第２受信サブモジュールを含む端末。
【請求項１８】
前記第１特定サブモジュールは、
プロトコルによって予め指定された周波数帯域とアップリンク波形との対応関係、および、端末の現在の動作周波数帯域または周波数に基づいて、情報伝送用のアップリンク波形を特定することに用いられ、
ここで、
前記周波数帯域は、
ライセンス周波数帯域であるか否かに応じて区分されたライセンス周波数帯域とアンライセンス周波数帯域を含み、または、
周波数の高低に応じて区分された、第１所定周波数より高い周波数の周波数帯域と第１所定周波数以下の周波数の周波数帯域を含み、または、
周波数の高低に応じて区分された、第２所定周波数以上の周波数の周波数帯域と第２所定周波数より低い周波数の周波数帯域を含む請求項１７に記載の端末。
【請求項１９】
前記第１特定サブモジュールは、
プロトコルによって予め指定された端末のサービス種類とアップリンク波形との対応関係、および、端末の現在のサービス種類に基づいて、情報伝送用のアップリンク波形を特定することに用いられる請求項１７に記載の端末。
【請求項２０】
前記第１特定サブモジュールは、
プロトコルによって予め指定されたリンク種類とアップリンク波形との対応関係、および、端末の現在のリンク種類に基づいて、情報伝送用のアップリンク波形を特定することに用いられる請求項１７に記載の端末。
【請求項２１】
前記所定メッセージは、
放送メッセージまたは専用メッセージである請求項１７に記載の端末。
【請求項２２】
前記第１受信サブモジュールは、
ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することに用いられる請求項１７に記載の端末。
【請求項２３】
前記第２受信サブモジュールは、
ダウンリンク測定結果情報および／またはアップリンク電力情報を含む報知情報をネットワーク側に送信することに用いられる第１送信ユニットと、
ネットワーク側から前記報知情報に基づいて特定されてフィードバックされた端末の情報伝送用のアップリンク波形を受信することに用いられる第１受信ユニットとを含む請求項１７に記載の端末。
【請求項２４】
前記第１送信ユニットは、
ランダムアクセスプロセス中またはその後に報知情報をネットワーク側に送信することに用いられる請求項２３に記載の端末。
【請求項２５】
前記第１送信ユニットは、
報知情報を生成するための、パス損失、ダウンリンク参照信号受信電力、ダウンリンク参照信号受信品質、現在の送信電力クラスまたはアップリンク電力ヘッドルームを含む参照データの参照値を取得することに用いられる取得サブユニットと、
前記参照値に基づいて、参照値または参照値と予め設定された閾値との差を含む前記報知情報を生成することに用いられる生成サブユニットと、
前記報知情報をネットワーク側に送信することに用いられる送信サブユニットとを含む請求項２３に記載の端末。
【請求項２６】
前記参照データにパス損失、ダウンリンク参照信号受信電力またはダウンリンク参照信号受信品質が含まれる場合、
前記生成サブユニットは、
端末のアップリンク電力オフセットを取得することと、
前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとに用いられる請求項２５に記載の端末。
【請求項２７】
前記の端末のアップリンク電力オフセットを取得する方式として、
端末の送信電力クラスおよびネットワーク側から予め設定された送信電力閾値に基づいて、端末のアップリンク電力オフセットを得る請求項２６に記載の端末。
【請求項２８】
前記報知情報に参照値と予め設定された閾値との差が含まれる場合、
ネットワーク側から送信される所定閾値を受信することに用いられる第１受信モジュールをさらに含む請求項２５に記載の端末。
【請求項２９】
前記報知情報に参照値と予め設定された閾値との差が含まれる場合、
前記送信サブユニットは、
前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することに用いられる請求項２５に記載の端末。
【請求項３０】
前記参照データにパス損失または現在の送信電力クラスが含まれる場合、
前記第１受信ユニットは、
パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、
パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することに用いられる請求項２５に記載の端末。
【請求項３１】
前記参照データにダウンリンク参照信号受信電力、ダウンリンク参照信号受信品質またはアップリンク電力ヘッドルームが含まれる場合、
前記第１受信ユニットは、
ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、
ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することに用いられる請求項２５に記載の端末。
【請求項３２】
端末のアップリンク波形がＣＰ−ＯＦＤＭとＤＦＴ−ｓ−ＯＦＤＭの間で切り替わる場合、端末の送信電力調整に用いられる電力バックオフ値をネットワーク側から受信することに用いられる第２受信モジュールをさらに含む請求項１７に記載の端末。
【請求項３３】
端末の情報伝送用のアップリンク波形を特定することを含むアップリンク波形フィードバック方法において、
前記の端末の情報伝送用のアップリンク波形を特定することは、
プロトコルによって予め指定された所定条件とアップリンク波形との対応関係に基づいて、端末の現在の情報伝送用のアップリンク波形を特定すること、または、
周波数帯域、端末のサービス種類、リンク種類、セル半径の大きさまたは端末のカバレッジ状況に基づいて、端末の情報伝送用のアップリンク波形を特定すること、または、
端末の報知情報に基づいて、端末の情報伝送用のアップリンク波形を特定することを含むアップリンク波形フィードバック方法。
【請求項３４】
前記のプロトコルによって予め指定された所定条件とアップリンク波形との対応関係に基づいて、端末の現在の情報伝送用のアップリンク波形を特定することは、
プロトコルによって予め指定された周波数帯域とアップリンク波形との対応関係、および、端末の現在の動作周波数帯域または周波数に基づいて、情報伝送用のアップリンク波形を特定することを含み、
ここで、前記周波数帯域は、
ライセンス周波数帯域であるか否かに応じて区分されたライセンス周波数帯域とアンライセンス周波数帯域を含み、または、
周波数の高低に応じて区分された、第１所定周波数より高い周波数の周波数帯域と第１所定周波数以下の周波数の周波数帯域を含み、または、
周波数の高低に応じて区分された、第２所定周波数以上の周波数の周波数帯域と第２所定周波数より低い周波数の周波数帯域を含む請求項３３に記載のアップリンク波形フィードバック方法。
【請求項３５】
前記のプロトコルによって予め指定された所定条件とアップリンク波形との対応関係に基づいて、端末の現在の情報伝送用のアップリンク波形を特定することは、
プロトコルによって予め指定された端末のサービス種類とアップリンク波形との対応関係、および、端末の現在のサービス種類に基づいて、情報伝送用のアップリンク波形を特定することを含む請求項３３に記載のアップリンク波形フィードバック方法。
【請求項３６】
前記のプロトコルによって予め指定された所定条件とアップリンク波形との対応関係に基づいて、端末の現在の情報伝送用のアップリンク波形を特定することは、
プロトコルによって予め指定されたリンク種類とアップリンク波形との対応関係、および、端末の現在のリンク種類に基づいて、情報伝送用のアップリンク波形を特定することを含む請求項３３に記載のアップリンク波形フィードバック方法。
【請求項３７】
周波数帯域、端末のサービス種類、リンク種類、セル半径の大きさまたは端末のカバレッジ状況に基づいて、端末の情報伝送用のアップリンク波形を特定した後に、
所定メッセージによって前記アップリンク波形を端末に通知することをさらに含む請求項３３に記載のアップリンク波形フィードバック方法。
【請求項３８】
前記所定メッセージは、
放送メッセージまたは専用メッセージである請求項３７に記載のアップリンク波形フィードバック方法。
【請求項３９】
前記の端末の報知情報に基づいて、端末の情報伝送用のアップリンク波形を特定することは、
ダウンリンク測定結果情報および／またはアップリンク電力情報を含む報知情報を端末から受信することと、
前記報知情報に基づいて、端末の情報伝送用のアップリンク波形を特定することとを含む請求項３３に記載のアップリンク波形フィードバック方法。
【請求項４０】
前記の報知情報を端末から受信することは、
ランダムアクセスプロセス中またはその後に報知情報を端末から受信することを含む請求項３９に記載のアップリンク波形フィードバック方法。
【請求項４１】
前記の報知情報を端末から受信することは、
参照データの参照値に基づいて生成された報知情報を端末から受信することを含み、
ここで、前記参照データは、
パス損失、ダウンリンク参照信号受信電力、ダウンリンク参照信号受信品質、現在の送信電力クラスまたはアップリンク電力ヘッドルームを含み、
前記報知情報は、
参照値または参照値と予め設定された閾値との差を含む請求項３９に記載のアップリンク波形フィードバック方法。
【請求項４２】
前記参照データにパス損失、ダウンリンク参照信号受信電力またはダウンリンク参照信号受信品質が含まれる場合、
前記の参照データの参照値に基づいて生成された報知情報を端末から受信することは、
アップリンク電力オフセットおよび参照データの参照値に基づいて生成された報知情報を端末から受信することを含み、
ここで、前記報知情報は、
参照値とアップリンク電力オフセットとの差、または、参照値とアップリンク電力オフセットとの差と予め設定された閾値との差を含む請求項４１に記載のアップリンク波形フィードバック方法。
【請求項４３】
前記報知情報に参照値と予め設定された閾値との差が含まれる場合、
前記の参照データの参照値に基づいて生成された報知情報を端末から受信する前に、
予め設定された閾値を端末に送信することをさらに含む請求項４１に記載のアップリンク波形フィードバック方法。
【請求項４４】
前記報知情報に参照値と予め設定された閾値との差が含まれる場合、
前記の報知情報を端末から受信する前に、
端末から報知情報をフィードバックする所定ルールを端末に送信することをさらに含み、
前記所定ルールは、
参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである請求項４１に記載のアップリンク波形フィードバック方法。
【請求項４５】
前記参照データにパス損失または現在の送信電力クラスが含まれる場合、
前記の前記報知情報に基づいて端末の情報伝送用のアップリンク波形を特定することは、
パス損失または現在の送信電力クラスの参照値が第１所定閾値より小さくまたは第１所定閾値以下である場合、端末の情報伝送用のアップリンク波形がＣＰ−ＯＦＤＭであると特定すること、および、
パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することを含む請求項４１に記載のアップリンク波形フィードバック方法。
【請求項４６】
前記参照データにダウンリンク参照信号受信電力、ダウンリンク参照信号受信品質またはアップリンク電力ヘッドルームが含まれる場合、
前記の前記報知情報に基づいて端末の情報伝送用のアップリンク波形を特定することは、
ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、
ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することを含む請求項４１に記載のアップリンク波形フィードバック方法。
【請求項４７】
端末のアップリンク波形がＣＰ−ＯＦＤＭとＤＦＴ−ｓ−ＯＦＤＭの間で切り替わる場合、端末の送信電力調整に用いられる電力バックオフ値を端末に送信することをさらに含む請求項３３に記載のアップリンク波形フィードバック方法。
【請求項４８】
端末の情報伝送用のアップリンク波形を特定することに用いられる特定モジュールを含む基地局において、
前記特定モジュールは、
プロトコルによって予め指定された所定条件とアップリンク波形との対応関係に基づいて、端末の現在の情報伝送用のアップリンク波形を特定することに用いられる第２特定サブモジュール、または、
周波数帯域、端末のサービス種類、リンク種類、セル半径の大きさまたは端末のカバレッジ状況に基づいて、端末の情報伝送用のアップリンク波形を特定することに用いられる第３特定サブモジュール、または、
端末の報知情報に基づいて、端末の情報伝送用のアップリンク波形を特定することに用いられる第４特定サブモジュールとを含む基地局。
【請求項４９】
前記第２特定サブモジュールは、
プロトコルによって予め指定された周波数帯域とアップリンク波形との対応関係、および、端末の現在の動作周波数帯域または周波数に基づいて、情報伝送用のアップリンク波形を特定することに用いられ、
ここで、前記周波数帯域は、
ライセンス周波数帯域であるか否かに応じて区分されたライセンス周波数帯域とアンライセンス周波数帯域を含み、または、
周波数の高低に応じて区分された、第１所定周波数より高い周波数の周波数帯域と第１所定周波数以下の周波数の周波数帯域を含み、または、
周波数の高低に応じて区分された、第２所定周波数以上の周波数の周波数帯域と第２所定周波数より低い周波数の周波数帯域を含む請求項４８に記載の基地局。
【請求項５０】
前記第２特定サブモジュールは、
プロトコルによって予め指定された端末のサービス種類とアップリンク波形との対応関係、および、端末の現在のサービス種類に基づいて、情報伝送用のアップリンク波形を特定することに用いられる請求項４８に記載の基地局。
【請求項５１】
前記第２特定サブモジュールは、
プロトコルによって予め指定されたリンク種類とアップリンク波形との対応関係、および、端末の現在のリンク種類に基づいて、情報伝送用のアップリンク波形を特定することに用いられる請求項４８に記載の基地局。
【請求項５２】
前記特定モジュールに第３特定サブモジュールが含まれる場合、
所定メッセージによって前記アップリンク波形を端末に通知することに用いられる通知モジュールをさらに含む請求項４８に記載の基地局。
【請求項５３】
前記所定メッセージは、
放送メッセージまたは専用メッセージである請求項５２に記載の基地局。
【請求項５４】
前記第４特定サブモジュールは、
ダウンリンク測定結果情報および／またはアップリンク電力情報を含む報知情報を端末から受信することに用いられる第２受信ユニットと、
前記報知情報に基づいて、端末の情報伝送用のアップリンク波形を特定することに用いられる特定ユニットとを含む請求項４８に記載の基地局。
【請求項５５】
前記第２受信ユニットは、
ランダムアクセスプロセス中またはその後に報知情報を端末から受信することに用いられる請求項５４に記載の基地局。
【請求項５６】
前記第２受信ユニットは、
参照データの参照値に基づいて生成された報知情報を端末から受信することに用いられ、
ここで、前記参照データは、
パス損失、ダウンリンク参照信号受信電力、ダウンリンク参照信号受信品質、現在の送信電力クラスまたはアップリンク電力ヘッドルームを含み、
前記報知情報は、
参照値または参照値と予め設定された閾値との差を含む請求項５４に記載の基地局。
【請求項５７】
前記参照データにパス損失、ダウンリンク参照信号受信電力またはダウンリンク参照信号受信品質が含まれる場合、
前記第２受信ユニットは、
アップリンク電力オフセットおよび参照データの参照値に基づいて生成された報知情報を端末から受信することに用いられ、
ここで、前記報知情報は、
参照値とアップリンク電力オフセットとの差、または、参照値とアップリンク電力オフセットとの差と予め設定された閾値との差を含む請求項５６に記載の基地局。
【請求項５８】
前記報知情報に参照値と予め設定された閾値との差が含まれる場合、
予め設定された閾値を端末に送信することに用いられる第１送信モジュールをさらに含む請求項５６に記載の基地局。
【請求項５９】
前記報知情報に参照値と予め設定された閾値との差が含まれる場合、
端末から報知情報をフィードバックする所定ルールを端末に送信することに用いられる第２送信モジュールをさらに含み、
前記所定ルールは、
参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである請求項５６に記載の基地局。
【請求項６０】
前記参照データにパス損失または現在の送信電力クラスが含まれる場合、
前記特定ユニットは、
パス損失または現在の送信電力クラスの参照値が第１所定閾値より小さくまたは第１所定閾値以下である場合、端末の情報伝送用のアップリンク波形がＣＰ−ＯＦＤＭであると特定すること、および、
パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することに用いられる請求項５６に記載の基地局。
【請求項６１】
前記参照データにダウンリンク参照信号受信電力、ダウンリンク参照信号受信品質またはアップリンク電力ヘッドルームが含まれる場合、
前記特定ユニットは、
ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、
ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することに用いられる請求項５６に記載の基地局。
【請求項６２】
端末のアップリンク波形がＣＰ−ＯＦＤＭとＤＦＴ−ｓ−ＯＦＤＭの間で切り替わる場合、端末の送信電力調整に用いられる電力バックオフ値を端末に送信することに用いられる第３送信モジュールをさらに含む請求項４８に記載の基地局。
【請求項６３】
プロセッサと、
バスインタフェースを介して前記プロセッサに接続され、前記プロセッサによる操作実行に用いられるプログラムおよびデータを記憶することに用いられるメモリとを含む端末において、
前記プロセッサは、前記メモリに格納されているプログラムおよびデータを呼び出して実行すると、請求項１〜１６のいずれか一項に記載の方法を実行する端末。
【請求項６４】
プロセッサと、
バスインタフェースを介して前記プロセッサに接続され、前記プロセッサによる操作実行に用いられるプログラムおよびデータを記憶することに用いられるメモリとを含む基地局において、
前記プロセッサは、前記メモリに格納されているプログラムおよびデータを呼び出して実行すると、請求項３３〜４７のいずれか一項に記載の方法を実行する基地局。
【請求項６５】
プロセッサによって実行されると、請求項１〜１６のいずれか一項に記載の方法を前記プロセッサに実現させるプログラムおよびデータが格納されている非揮発性記憶媒体。
【請求項６６】
プロセッサによって実行されると、請求項３３〜４７のいずれか一項に記載の方法を前記プロセッサに実現させるプログラムおよびデータが格納されている非揮発性記憶媒体。
【発明の詳細な説明】
【技術分野】
【０００１】
本願は、２０１６年１１月８日に中国特許庁に提出された中国特許出願２０１６１０９８１２６４．９の優先権を主張し、その全ての内容が援用によりここに取り込まれる。
本開示は、通信技術分野に係り、特にアップリンク波形取得方法、アップリンク波形フィードバック方法、端末および基地局に係る。
【背景技術】
【０００２】
関連のＬＴＥ（Ｌｏｎｇ  Ｔｅｒｍ  Ｅｖｏｌｕｔｉｏｎ）システムにおいて、ダウンリンク波形にはＣＰ−ＯＦＤＭＡ（Ｃｙｃｌｉｃ  Ｐｒｅｆｉｘ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が用いられ、アップリンク波形にはＤＦＴ−ｓ−ＯＦＤＭ（Ｄｉｓｃｒｅｔｅ  Ｆｏｕｒｉｅｒ  Ｔｒａｎｓｆｏｒｍ−ｓｐｒｅａｄ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）が用いられる。
【０００３】
一方、５Ｇ  ＮＲ（Ｎｅｗ  Ｒａｄｉｏ）では、少なくとも４０ＧＨｚ以下のｅＭＢＢ（ｅｎｈａｎｃｅｄ  Ｍｏｂｉｌｅ  ＢｒｏａｄＢａｎｄ）サービスのアップリンクについて、ＣＰ−ＯＦＤＭＡとＤＦＴ−ｓ−ＯＦＤＭの２種類の波形をサポートすることが決められている。ＤＦＴ−ｓ−ＯＦＤＭは、主に、カバレッジ制限のあるシーンに対して用いられる。端末とも称されるＵＥ（Ｕｓｅｒ  Ｅｑｕｉｐｍｅｎｔ）は、同時に２種類の波形をサポートすることが必須である。ＵＥのアップリンク波形に対する認識は、ネットワーク側とＵＥでは一致する必要がある。
【発明の概要】
【発明が解決しようとする課題】
【０００４】
本開示は、アップリンク波形取得方法、アップリンク波形フィードバック方法、端末および基地局を提供する。
【課題を解決するための手段】
【０００５】
第１態様として、本開示の実施例は、アップリンク波形取得方法を提供する。当該方法において、端末の情報伝送用のアップリンク波形を取得することと、前記アップリンク波形に基づいて、情報の伝送を行うこととを含む。ここで、前記の端末の情報伝送用のアップリンク波形を取得することは、プロトコルによって予め指定された所定条件とアップリンク波形との対応関係に基づいて、端末の現在の情報伝送用のアップリンク波形を特定すること、または、ネットワーク側から端末に対し特定され、所定メッセージによって送信された情報伝送用のアップリンク波形を受信すること、または、ネットワーク側から端末の報知情報に基づいてフィードバックされた端末の情報伝送用のアップリンク波形を受信することを含む。
【０００６】
さらに、前記のプロトコルによって予め指定された所定条件とアップリンク波形との対応関係に基づいて、端末の現在の情報伝送用のアップリンク波形を特定することは、プロトコルによって予め指定された周波数帯域とアップリンク波形との対応関係、および、端末の現在の動作周波数帯域または周波数に基づいて、情報伝送用のアップリンク波形を特定することを含む。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【０００７】
さらに、前記のプロトコルによって予め指定された所定条件とアップリンク波形との対応関係に基づいて、端末の現在の情報伝送用のアップリンク波形を特定することは、プロトコルによって予め指定された端末のサービス種類とアップリンク波形との対応関係、および、端末の現在のサービス種類に基づいて、情報伝送用のアップリンク波形を特定することを含む。
【０００８】
さらに、前記のプロトコルによって予め指定された所定条件とアップリンク波形との対応関係に基づいて、端末の現在の情報伝送用のアップリンク波形を特定することは、
プロトコルによって予め指定されたリンク種類とアップリンク波形との対応関係、および、端末の現在のリンク種類に基づいて、情報伝送用のアップリンク波形を特定することを含む。
【０００９】
さらに、前記所定メッセージは、放送メッセージまたは専用メッセージである。
【００１０】
さらに、前記のネットワーク側から端末に対し特定され、所定メッセージによって送信された情報伝送用のアップリンク波形を受信することは、ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することを含む。
【００１１】
さらに、前記のネットワーク側から端末の報知情報に基づいてフィードバックされた端末の情報伝送用のアップリンク波形を受信することは、ダウンリンク測定結果情報および／またはアップリンク電力情報を含む報知情報をネットワーク側に送信することと、ネットワーク側から前記報知情報に基づいて特定されてフィードバックされた端末の情報伝送用のアップリンク波形を受信することとを含む。
【００１２】
さらに、前記の報知情報をネットワーク側に送信することは、ランダムアクセスプロセス中またはその後に報知情報をネットワーク側に送信することを含む。
【００１３】
さらに、前記の報知情報をネットワーク側に送信することは、報知情報を生成するための、パス損失、ダウンリンク参照信号受信電力、ダウンリンク参照信号受信品質、現在の送信電力クラスまたはアップリンク電力ヘッドルームを含む参照データの参照値を取得することと、前記参照値に基づいて、参照値または参照値と予め設定された閾値との差を含む前記報知情報を生成することと、前記報知情報をネットワーク側に送信することとを含む。
【００１４】
さらに、前記参照データにパス損失、ダウンリンク参照信号受信電力またはダウンリンク参照信号受信品質が含まれる場合、前記の前記参照値に基づいて前記報知情報を生成することは、端末のアップリンク電力オフセットを取得することと、前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとを含む。
【００１５】
さらに、前記の端末のアップリンク電力オフセットを取得することは、端末の送信電力クラスおよびネットワーク側から予め設定された送信電力閾値に基づいて、端末のアップリンク電力オフセットを得ることを含む。
【００１６】
さらに、前記報知情報に参照値と予め設定された閾値との差が含まれる場合、前記の前記参照値に基づいて前記報知情報を生成する前に、前記アップリンク波形取得方法において、ネットワーク側から送信される予め設定された閾値を受信することをさらに含む。
【００１７】
さらに、前記報知情報に参照値と予め設定された閾値との差が含まれる場合、前記の前記報知情報をネットワーク側に送信することは、前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することを含む。
【００１８】
さらに、前記参照データにパス損失または現在の送信電力クラスが含まれる場合、前記のネットワーク側から前記報知情報に基づいて特定されてフィードバックされた端末の情報伝送用のアップリンク波形を受信することは、パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することを含む。
【００１９】
さらに、前記参照データにダウンリンク参照信号受信電力、ダウンリンク参照信号受信品質またはアップリンク電力ヘッドルームが含まれる場合、前記のネットワーク側から前記報知情報に基づいて特定されてフィードバックされた端末の情報伝送用のアップリンク波形を受信することは、ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することを含む。
【００２０】
さらに、前記アップリンク波形取得方法において、端末のアップリンク波形がＣＰ−ＯＦＤＭとＤＦＴ−ｓ−ＯＦＤＭの間で切り替わる場合、端末の送信電力調整に用いられる電力バックオフ値をネットワーク側から受信することをさらに含む。
【００２１】
第２態様として、本開示の実施例は、端末を提供する。当該端末は、端末の情報伝送用のアップリンク波形を取得することに用いられる取得モジュールと、前記アップリンク波形に基づいて、情報の伝送を行うことに用いられる伝送モジュールとを含む。ここで、前記取得モジュールは、プロトコルによって予め指定された所定条件とアップリンク波形との対応関係に基づいて、端末の現在の情報伝送用のアップリンク波形を特定することに用いられる第１特定サブモジュール、または、ネットワーク側から端末に対し特定され、所定メッセージによって送信された情報伝送用のアップリンク波形を受信することに用いられる第１受信サブモジュール、または、ネットワーク側から端末の報知情報に基づいてフィードバックされた端末の情報伝送用のアップリンク波形を受信することに用いられる第２受信サブモジュールを含む。
【００２２】
さらに、前記第１特定サブモジュールは、プロトコルによって予め指定された周波数帯域とアップリンク波形との対応関係、および、端末の現在の動作周波数帯域または周波数に基づいて、情報伝送用のアップリンク波形を特定することに用いられる。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【００２３】
さらに、前記第１特定サブモジュールは、プロトコルによって予め指定された端末のサービス種類とアップリンク波形との対応関係、および、端末の現在のサービス種類に基づいて、情報伝送用のアップリンク波形を特定することに用いられる。
【００２４】
さらに、前記第１特定サブモジュールは、プロトコルによって予め指定されたリンク種類とアップリンク波形との対応関係、および、端末の現在のリンク種類に基づいて、情報伝送用のアップリンク波形を特定することに用いられる。
【００２５】
さらに、前記所定メッセージは、放送メッセージまたは専用メッセージである。
【００２６】
さらに、前記第１受信サブモジュールは、ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することに用いられる。
【００２７】
さらに、前記第２受信サブモジュールは、ダウンリンク測定結果情報および／またはアップリンク電力情報を含む報知情報をネットワーク側に送信することに用いられる第１送信ユニットと、ネットワーク側から前記報知情報に基づいて特定されてフィードバックされた端末の情報伝送用のアップリンク波形を受信することに用いられる第１受信ユニットとを含む。
【００２８】
さらに、前記第１送信ユニットは、ランダムアクセスプロセス中またはその後に報知情報をネットワーク側に送信することに用いられる。
【００２９】
さらに、前記第１送信ユニットは、報知情報を生成するための、パス損失、ダウンリンク参照信号受信電力、ダウンリンク参照信号受信品質、現在の送信電力クラスまたはアップリンク電力ヘッドルームを含む参照データの参照値を取得することに用いられる取得サブユニットと、前記参照値に基づいて、参照値または参照値と予め設定された閾値との差を含む前記報知情報を生成することに用いられる生成サブユニットと、前記報知情報をネットワーク側に送信することに用いられる送信サブユニットとを含む。
【００３０】
さらに、前記参照データにパス損失、ダウンリンク参照信号受信電力またはダウンリンク参照信号受信品質が含まれる場合、前記生成サブユニットは、端末のアップリンク電力オフセットを取得することと、前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとに用いられる。
【００３１】
さらに、前記の端末のアップリンク電力オフセットを取得する方式として、端末の送信電力クラスおよびネットワーク側から予め設定された送信電力閾値に基づいて、端末のアップリンク電力オフセットを得る。
【００３２】
さらに、前記報知情報に参照値と予め設定された閾値との差が含まれる場合、前記端末は、ネットワーク側から送信される予め設定された閾値を受信することに用いられる第１受信モジュールをさらに含む。
【００３３】
さらに、前記報知情報に参照値と予め設定された閾値との差が含まれる場合、前記送信サブユニットは、前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することに用いられる。
【００３４】
さらに、前記参照データにパス損失または現在の送信電力クラスが含まれる場合、前記第１受信ユニットは、パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することに用いられる。
【００３５】
さらに、前記参照データにダウンリンク参照信号受信電力、ダウンリンク参照信号受信品質またはアップリンク電力ヘッドルームが含まれる場合、前記第１受信ユニットは、ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することに用いられる。
【００３６】
さらに、前記端末は、端末のアップリンク波形がＣＰ−ＯＦＤＭとＤＦＴ−ｓ−ＯＦＤＭの間で切り替わる場合、端末の送信電力調整に用いられる電力バックオフ値をネットワーク側から受信することに用いられる第２受信モジュールをさらに含む。
【００３７】
第３態様として、本開示の実施例は、アップリンク波形フィードバック方法を提供する。当該方法において、端末の情報伝送用のアップリンク波形を特定することを含む。ここで、前記の端末の情報伝送用のアップリンク波形を特定することは、プロトコルによって予め指定された所定条件とアップリンク波形との対応関係に基づいて、端末の現在の情報伝送用のアップリンク波形を特定すること、または、周波数帯域、端末のサービス種類、リンク種類、セル半径の大きさまたは端末のカバレッジ状況に基づいて、端末の情報伝送用のアップリンク波形を特定すること、または、端末の報知情報に基づいて、端末の情報伝送用のアップリンク波形を特定することを含む。
【００３８】
さらに、前記のプロトコルによって予め指定された所定条件とアップリンク波形との対応関係に基づいて、端末の現在の情報伝送用のアップリンク波形を特定することは、プロトコルによって予め指定された周波数帯域とアップリンク波形との対応関係、および、端末の現在の動作周波数帯域または周波数に基づいて、情報伝送用のアップリンク波形を特定することを含む。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【００３９】
さらに、前記のプロトコルによって予め指定された所定条件とアップリンク波形との対応関係に基づいて、端末の現在の情報伝送用のアップリンク波形を特定することは、プロトコルによって予め指定された端末のサービス種類とアップリンク波形との対応関係、および、端末の現在のサービス種類に基づいて、情報伝送用のアップリンク波形を特定することを含む。
【００４０】
さらに、前記のプロトコルによって予め指定された所定条件とアップリンク波形との対応関係に基づいて、端末の現在の情報伝送用のアップリンク波形を特定することは、プロトコルによって予め指定されたリンク種類とアップリンク波形との対応関係、および、端末の現在のリンク種類に基づいて、情報伝送用のアップリンク波形を特定することを含む。
【００４１】
さらに、周波数帯域、端末のサービス種類、リンク種類、セル半径の大きさまたは端末のカバレッジ状況に基づいて、端末の情報伝送用のアップリンク波形を特定した後に、前記アップリンク波形フィードバック方法において、所定メッセージによって前記アップリンク波形を端末に通知することをさらに含む。
【００４２】
さらに、前記所定メッセージは、放送メッセージまたは専用メッセージである。
【００４３】
さらに、前記の端末の報知情報に基づいて、端末の情報伝送用のアップリンク波形を特定することは、ダウンリンク測定結果情報および／またはアップリンク電力情報を含む報知情報を端末から受信することと、前記報知情報に基づいて、端末の情報伝送用のアップリンク波形を特定することとを含む。
【００４４】
さらに、前記の報知情報を端末から受信することは、ランダムアクセスプロセス中またはその後に報知情報を端末から受信することを含む。
【００４５】
さらに、前記の報知情報を端末から受信することは、参照データの参照値に基づいて生成された報知情報を端末から受信することを含む。ここで、前記参照データは、パス損失、ダウンリンク参照信号受信電力、ダウンリンク参照信号受信品質、現在の送信電力クラスまたはアップリンク電力ヘッドルームを含む。前記報知情報は、参照値または参照値と予め設定された閾値との差を含む。
【００４６】
さらに、前記参照データにパス損失、ダウンリンク参照信号受信電力またはダウンリンク参照信号受信品質が含まれる場合、前記の参照データの参照値に基づいて生成された報知情報を端末から受信することは、アップリンク電力オフセットおよび参照データの参照値に基づいて生成された報知情報を端末から受信することを含む。ここで、前記報知情報は、参照値とアップリンク電力オフセットとの差、または、参照値とアップリンク電力オフセットとの差と予め設定された閾値との差を含む。
【００４７】
さらに、前記報知情報に参照値と予め設定された閾値との差が含まれる場合、前記の参照データの参照値に基づいて生成された報知情報を端末から受信する前に、前記アップリンク波形フィードバック方法において、所定閾値を端末に送信することをさらに含む。
【００４８】
さらに、前記報知情報に参照値と予め設定された閾値との差が含まれる場合、前記の報知情報を端末から受信する前に、前記アップリンク波形フィードバック方法において、端末から報知情報をフィードバックする所定ルールを端末に送信することをさらに含む。前記所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。
【００４９】
さらに、前記参照データにパス損失または現在の送信電力クラスが含まれる場合、前記の前記報知情報に基づいて端末の情報伝送用のアップリンク波形を特定することは、パス損失または現在の送信電力クラスの参照値が第１所定閾値より小さくまたは第１所定閾値以下である場合、端末の情報伝送用のアップリンク波形がＣＰ−ＯＦＤＭであると特定すること、および、パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することを含む。
【００５０】
さらに、前記参照データにダウンリンク参照信号受信電力、ダウンリンク参照信号受信品質またはアップリンク電力ヘッドルームが含まれる場合、前記の前記報知情報に基づいて端末の情報伝送用のアップリンク波形を特定することは、ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することを含む。
【００５１】
さらに、前記アップリンク波形フィードバック方法において、端末のアップリンク波形がＣＰ−ＯＦＤＭとＤＦＴ−ｓ−ＯＦＤＭの間で切り替わる場合、端末の送信電力調整に用いられる電力バックオフ値を端末に送信することをさらに含む。
【００５２】
第４態様として、本開示の実施例は、基地局をさらに提供する。当該基地局は、端末の情報伝送用のアップリンク波形を特定することに用いられる特定モジュールを含む。ここで、前記特定モジュールは、プロトコルによって予め指定された所定条件とアップリンク波形との対応関係に基づいて、端末の現在の情報伝送用のアップリンク波形を特定することに用いられる第２特定サブモジュール、または、周波数帯域、端末のサービス種類、リンク種類、セル半径の大きさまたは端末のカバレッジ状況に基づいて、端末の情報伝送用のアップリンク波形を特定することに用いられる第３特定サブモジュール、または、端末の報知情報に基づいて、端末の情報伝送用のアップリンク波形を特定することに用いられる第４特定サブモジュールとを含む。
【００５３】
さらに、前記第２特定サブモジュールは、プロトコルによって予め指定された周波数帯域とアップリンク波形との対応関係、および、端末の現在の動作周波数帯域または周波数に基づいて、情報伝送用のアップリンク波形を特定することに用いられる。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【００５４】
さらに、前記第２特定サブモジュールは、プロトコルによって予め指定された端末のサービス種類とアップリンク波形との対応関係、および、端末の現在のサービス種類に基づいて、情報伝送用のアップリンク波形を特定することに用いられる。
【００５５】
さらに、前記第２特定サブモジュールは、プロトコルによって予め指定されたリンク種類とアップリンク波形との対応関係、および、端末の現在のリンク種類に基づいて、情報伝送用のアップリンク波形を特定することに用いられる。
【００５６】
さらに、前記特定モジュールに第３特定サブモジュールが含まれる場合、前記基地局は、所定メッセージによって前記アップリンク波形を端末に通知することに用いられる通知モジュールをさらに含む。
【００５７】
さらに、前記所定メッセージは、放送メッセージまたは専用メッセージである。
【００５８】
さらに、前記第４特定サブモジュールは、ダウンリンク測定結果情報および／またはアップリンク電力情報を含む報知情報を端末から受信することに用いられる第２受信ユニットと、前記報知情報に基づいて、端末の情報伝送用のアップリンク波形を特定することに用いられる特定ユニットとを含む。
【００５９】
さらに、前記第２受信ユニットは、ランダムアクセスプロセス中またはその後に報知情報を端末から受信することに用いられる。
【００６０】
さらに、前記第２受信ユニットは、参照データの参照値に基づいて生成された報知情報を端末から受信することに用いられる。ここで、前記参照データは、パス損失、ダウンリンク参照信号受信電力、ダウンリンク参照信号受信品質、現在の送信電力クラスまたはアップリンク電力ヘッドルームを含む。前記報知情報は、参照値または参照値と予め設定された閾値との差を含む。
【００６１】
さらに、前記参照データにパス損失、ダウンリンク参照信号受信電力またはダウンリンク参照信号受信品質が含まれる場合、前記第２受信ユニットは、アップリンク電力オフセットおよび参照データの参照値に基づいて生成された報知情報を端末から受信することに用いられる。ここで、前記報知情報は、参照値とアップリンク電力オフセットとの差、または、参照値とアップリンク電力オフセットとの差と予め設定された閾値との差を含む。
【００６２】
さらに、前記報知情報に参照値と予め設定された閾値との差が含まれる場合、前記基地局は、所定閾値を端末に送信することに用いられる第１送信モジュールをさらに含む。
【００６３】
さらに、前記報知情報に参照値と予め設定された閾値との差が含まれる場合、前記基地局は、端末から報知情報をフィードバックする所定ルールを端末に送信することに用いられる第２送信モジュールをさらに含む。前記所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。
【００６４】
さらに、前記参照データにパス損失または現在の送信電力クラスが含まれる場合、前記特定ユニットは、パス損失または現在の送信電力クラスの参照値が第１所定閾値より小さくまたは第１所定閾値以下である場合、端末の情報伝送用のアップリンク波形がＣＰ−ＯＦＤＭであると特定すること、および、パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することに用いられる。
【００６５】
さらに、前記参照データにダウンリンク参照信号受信電力、ダウンリンク参照信号受信品質またはアップリンク電力ヘッドルームが含まれる場合、前記特定ユニットは、ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することに用いられる。
【００６６】
さらに、前記基地局は、端末のアップリンク波形がＣＰ−ＯＦＤＭとＤＦＴ−ｓ−ＯＦＤＭの間で切り替わる場合、端末の送信電力調整に用いられる電力バックオフ値を端末に送信することに用いられる第３送信モジュールをさらに含む。
【００６７】
第５態様として、本開示の実施例は、プロセッサと、バスインタフェースを介して前記プロセッサに接続され、前記プロセッサによる操作実行に用いられるプログラムおよびデータを記憶することに用いられるメモリとを含む端末を提供する。ここで、前記プロセッサは、前記メモリに格納されているプログラムおよびデータを呼び出して実行すると、上記第１態様に記載の方法を実行する。
【００６８】
第６態様として、本開示の実施例は、プロセッサと、バスインタフェースを介して前記プロセッサに接続され、前記プロセッサによる操作実行に用いられるプログラムおよびデータを記憶することに用いられるメモリとを含む基地局を提供する。ここで、前記プロセッサは、前記メモリに格納されているプログラムおよびデータを呼び出して実行すると、上記第３態様に記載の方法を実行する。
【００６９】
第７態様として、本開示の実施例は、プロセッサによって実行されると、上記第１態様に記載の方法を前記プロセッサに実現させるプログラムおよびデータが格納されている非揮発性記憶媒体を提供する。
【００７０】
第８態様として、本開示の実施例は、プロセッサによって実行されると、上記第３態様に記載の方法を前記プロセッサに実現させるプログラムおよびデータが格納されている非揮発性記憶媒体を提供する。
【図面の簡単な説明】
【００７１】
【図１】本開示の実施例におけるアップリンク波形取得方法のフローチャートである。
【図２】本開示の実施例における端末のモジュール図である。
【図３】本開示の実施例における端末の構造図である。
【図４】本開示の実施例におけるアップリンク波形フィードバック方法のフローチャートである。
【図５】本開示の実施例における基地局のモジュール図である。
【図６】本開示の実施例における基地局の構造図である。
【発明を実施するための形態】
【００７２】
本開示の目的、技術手段および利点をより明確にするために、以下、添付図面および具体的な実施例を通じて、本開示を詳細に記載する。
【００７３】
関連の５Ｇ  ＮＲにおいて、端末のアップリンク波形の特定および端末への通知について明確な解決策がないため、ネットワーク通信が不完全となり、ネットワーク通信に影響を及ぼすという問題に対し、本開示は、アップリンク波形取得方法、アップリンク波形フィードバック方法、端末および基地局を提供する。
【００７４】
図１は、本開示の実施例におけるアップリンク波形取得方法のフローチャートを示す。図１に示す本開示の実施例におけるアップリンク波形取得方法は、端末側に応用し、以下のステップ１１〜ステップ１２を含む。
【００７５】
ステップ１１において、端末の情報伝送用のアップリンク波形を取得する。
【００７６】
なお、当該アップリンク波形取得方法がＣＰ−ＯＦＤＭとＤＦＴ−ｓ−ＯＦＤＭをサポートする５Ｇ  ＮＲ技術に応用するため、当該実施例におけるアップリンク波形は、ＣＰ−ＯＦＤＭとＤＦＴ−ｓ−ＯＦＤＭを含む。
【００７７】
ステップ１２において、前記アップリンク波形に基づいて、情報の伝送を行う。
【００７８】
なお、端末側は、自身の情報送信用のアップリンク波形が分かると、後続の通信プロセスにおいて、当該アップリンク波形によって基地局側との通信を実現する。
【００７９】
なお、本開示の実施例は、主に、端末側で用いられるアップリンク波形と、ネットワーク側で認識されているアップリンク波形とを統一させることを実現し、通信の信頼性を保証する。
【００８０】
なお、本実施例でいうネットワーク側は、アクセスネットワーク側であり、すなわち基地局側である。
【００８１】
具体的に、ステップ１１は、以下の方式で実現される。
【００８２】
方式１：プロトコルによって予め指定された所定条件とアップリンク波形との対応関係に基づいて、端末の現在の情報伝送用のアップリンク波形を特定する。
【００８３】
なお、方式１は、プロトコルによって予め指定された所定条件で、端末のアップリンク波形を特定することであり、ネットワーク側からのアップリンク波形の通知を必要とせず、ネットワーク側でも端末側でも、プロトコルの指定でアップリンク波形を得る。具体的に、当該所定条件は、周波数帯域、端末のサービス種類またはリンク種類である。
【００８４】
所定条件が周波数帯域である場合、当該周波数帯域は、ライセンス周波数帯域であるか否かに応じて区分されたライセンス周波数帯域とアンライセンス周波数帯域である。例えば、プロトコルによって、アンライセンス周波数帯域で用いられるアップリンク波形がＣＰ−ＯＦＤＭであり、ライセンス周波数帯域で用いられるアップリンク波形がＤＦＴ−ｓ−ＯＦＤＭであることが指定される。当該周波数帯域は、周波数の高低に応じて区分された、第１所定周波数より高い周波数の周波数帯域と第１所定周波数以下の周波数の周波数帯域、または、周波数の高低に応じて区分された、第２所定周波数以上の周波数の周波数帯域と第２所定周波数より低い周波数の周波数帯域であってもよい。例えば、プロトコルでは、特定の周波数点を閾値とし、周波数の高低で予めアップリンク波形を指定する。具体的に、例えば２０ＧＨｚ以下の周波数で用いられるアップリンク波形がＤＦＴ−ｓ−ＯＦＤＭであり、それ以外の周波数で用いられるアップリンク波形がＣＰ−ＯＦＤＭであると指定する。端末は、後続の情報送信を行うために、現在の動作搬送波の所属する周波数帯域に基づいてアップリンク波形を特定する。
【００８５】
所定条件が端末のサービス種類である場合、端末は、現在のサービス種類に基づいて、使用されるアップリンク波形を特定する。例えば、プロトコルでは、ｍＭＴＣ（ｍａｓｓｉｖｅ  Ｍａｃｈｉｎｅ  Ｔｙｐｅ  Ｃｏｍｍｕｎｉｃａｔｉｏｎ）サービスに用いられるアップリンク波形がＤＦＴ−ｓ−ＯＦＤＭであり、ＵＲＬＬＣ（Ｕｌｔｒａ  Ｒｅｌｉａｂｉｌｉｔｙ  Ｌｏｗ  Ｌａｔｅｎｃｙ  Ｃｏｍｍｕｎｉｃａｔｉｏｎ）サービスに用いられるアップリンク波形がＣＰ−ＯＦＤＭであると指定する。
【００８６】
所定条件がリンク種類である場合、端末は、リンク種類に基づいて、使用されるアップリンク波形を特定する。例えば、プロトコルでは、ｓｉｄｅｌｉｎｋに対し用いられるアップリンク波形がＣＰ−ＯＦＤＭであり、ｕｐｌｉｎｋ（アップリンク）に対し用いられるアップリンク波形がＤＦＴ−ｓ−ＯＦＤＭであると指定する。端末は、現在のリンク種類に基づいて、用いられるアップリンク波形を特定する。
【００８７】
方式２：ネットワーク側から端末に対し特定され、所定メッセージによって送信された情報伝送用のアップリンク波形を受信する。
【００８８】
なお、当該所定メッセージは、放送メッセージまたは専用メッセージである。ここで、専用メッセージは、物理層制御情報またはハイレイヤ専用シグナリングである。例えば、当該ハイレイヤ専用シグナリングは、ＲＲＣ（無線リソース制御）メッセージである。
【００８９】
具体的に、端末は、ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信する。
【００９０】
例えば、当該所定メッセージが放送メッセージである場合、基地局は、セル半径の大きさに基づいて、端末に用いられるアップリンク波形を特定し、放送メッセージによって自セルの端末に通知する。例えば、セルの半径が比較的小さい（セルの半径が所定値より小さい）場合、基地局は、自セルの端末に用いられるアップリンク波形がＣＰ−ＯＦＤＭであることを放送メッセージによって通知し、そうでない場合、自セルの端末に用いられるアップリンク波形がＤＦＴ−ｓ−ＯＦＤＭであることを放送メッセージによって通知する。
【００９１】
例えば、当該所定メッセージが専用メッセージである場合、基地局側は、端末のカバレッジ状況に基づいて、端末に用いられるアップリンク波形を特定し、専用メッセージによって自セルの端末に通知する。例えば、マスタセルでＬＴＥ技術が用いられるがセカンダリセルでＮＲが用いられるＮＲ（Ｎｅｗ  Ｒａｄｉｏ）非独立配置の場合、基地局側は、マスタセルで取得した端末カバレッジ状況に基づいて、端末がＮＲセカンダリセルで動作する際のアップリンク波形を特定し、専用シグナリングによって端末に通知する。
【００９２】
方式３：ネットワーク側から端末の報知情報に基づいてフィードバックされた端末の情報伝送用のアップリンク波形を受信する。
【００９３】
なお、当該報知情報は、主にダウンリンク測定結果情報および／またはアップリンク電力情報を含む。当該方式の主な実現プロセスは、以下を含む。
ステップ１において、端末は、報知情報を生成するための参照データの参照値を取得する。前記参照データは、パス損失、ダウンリンク参照信号受信電力、ダウンリンク参照信号受信品質、現在の送信電力クラスまたはアップリンク電力ヘッドルームを含む。
ステップ２において、前記参照値に基づいて、参照値または参照値と予め設定された閾値との差を含む前記報知情報を生成する。
ステップ３において、前記報知情報をネットワーク側に送信する。
【００９４】
なお、ダウンリンク測定結果情報は、パス損失の参照値または参照値と予め設定された閾値との差、ダウンリンク参照信号受信電力の参照値または参照値と予め設定された閾値との差、および、ダウンリンク参照信号受信品質の参照値または参照値と予め設定された閾値との差を含む。アップリンク電力情報は、現在の送信電力クラスの参照値または参照値と予め設定された閾値との差、および、アップリンク電力ヘッドルームの参照値または参照値と予め設定された閾値との差を含む。
【００９５】
選択可能に、前記参照データにパス損失、ダウンリンク参照信号受信電力またはダウンリンク参照信号受信品質が含まれる場合、前記ステップ２の具体的な実現方式として、端末のアップリンク電力オフセットを取得することと、前記アップリンク電力オフセットおよび前記参照値に基づいて、前記報知情報を生成することとを含む。ここで、前記報知情報は、参照値とアップリンク電力オフセットとの差、または、参照値とアップリンク電力オフセットとの差と予め設定された閾値との差を含む。
【００９６】
本実施例において、端末のアップリンク電力オフセットを取得する方式として、端末の送信電力クラスおよびネットワーク側から予め設定された送信電力閾値に基づいて、端末のアップリンク電力オフセットを得る。
【００９７】
なお、ネットワーク側から予め設定された送信電力閾値は、ネットワーク側が予め設定して端末に通知したものである。
【００９８】
報知情報を生成する参照データがパス損失（すなわちダウンリンク測定量がパス損失である）であることを例とすると、端末は、パス損失を測定して測定結果Ｌｍｅａｓを得、パス損失測定結果、または、パス損失測定結果と基地局によって予め設定された閾値との差を基地局に報知する。
【００９９】
なお、パス損失測定結果と基地局によって予め設定された閾値との差を端末から基地局に報知する場合、基地局は、当該予め設定された閾値Ｌｔｈｒｅｓｈｏｌｄを端末に事前に通知するが、端末は、式
【数１】
2020501408.tif 000003
によって両者の差であるＳ１を得て基地局に報知する。具体的に、端末は、量子化後のパス損失測定結果と基地局側によって予め設定された閾値との差を基地局に報知し、または、Ｓ１が０より小さいか（または０以下であるか）を基地局に報知する。さらに、基地局は、当該差を端末から報知する所定ルールを指定しまたは予め設定してもよい。当該所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。端末は、当該所定ルールを受信し、条件を満たした後に報知情報を送信する。例えば、Ｓ１が特定閾値より小さい（または以下である）、端末は、量子化後のパス損失測定結果と基地局側によって予め設定された閾値との差を報知することを予め設定する。または、Ｓ１が０より小さい（または０以下である）場合、端末は、１ビット情報を報知することを予め設定する。
【０１００】
報知情報を生成する参照データがダウンリンク参照信号受信電力（すなわちダウンリンク測定量がダウンリンク参照信号受信電力である）であることを例とすると、端末は、ダウンリンク参照信号受信電力
【数２】
2020501408.tif 000004
を測定し、ダウンリンク参照信号受信電力、または、ダウンリンク参照信号受信電力と基地局側によって予め設定された閾値との差を基地局に報知する。
【０１０１】
具体的に、ダウンリンク参照信号受信電力と基地局側によって予め設定された閾値との差を端末から基地局に報知する場合、基地局側は、最小ダウンリンク受信電力
【数３】
2020501408.tif 000005
、セルの許容可能な最大送信電力
【数４】
2020501408.tif 000006
および電力オフセット
【数５】
2020501408.tif 000007
を端末に通知する。端末は、測定したダウンリンク参照信号受信電力に基づいて、式
【数６】
2020501408.tif 000008
に基づいて、差Ｓ２を計算する。ここで、
【数７】
2020501408.tif 000009
は、端末の送信電力クラスである。選択可能に、基地局側は、セルの最大パス損失または最大結合損失に基づいて、最小ダウンリンク受信電力
【数８】
2020501408.tif 000010
を特定し、ＣＰ−ＯＦＤＭがアップリンクレートを向上させるかに応じて、電力オフセット
【数９】
2020501408.tif 000011
を特定する。具体的に、端末は、量子化後のＳ２、または、Ｓ２が０より小さいか（または０以下であるか）を基地局側に報知する。さらに、基地局は、当該差を端末から報知する所定ルールを指定しまたは予め設定してもよい。当該所定ルールは、参照値と予め設定された閾値との差が第１所定閾値より小さくまたは第１所定閾値以下（≦）であり、または、前記参照値と予め設定された閾値との差が第２所定閾値より大きくまたは第２所定閾値以上（≧）である場合、端末から報知情報を送信することである。端末は、当該所定ルールを受信し、条件を満たした後に報知情報を送信する。例えば、Ｓ２が特定閾値より小さい（または以下である）場合、端末は、量子化後のＳ２を報知すると予め設定した。または、Ｓ２が０より小さい（または０以下である）場合、端末は、１ビット情報を報知すると予め設定した。
【０１０２】
なお、参照データがダウンリンク参照信号受信品質である場合は、参照データがダウンリンク参照信号受信電力の場合とは類似するため、ここでは詳細に説明しない。
【０１０３】
報知情報を生成する参照データが端末の現在の送信電力クラスであることを例とし、端末は、現在の送信電力クラスを特定する。前記現在の送信電力クラスは、瞬時の送信電力、特定プロセス中の特定メッセージに対する送信電力、または特定期間中の平均送信電力である。端末は、量子化の送信電力クラス、基地局側によって予め設定された送信電力との差、または、最大送信電力に達したかを報知する。さらに、端末から基地局側に報知する条件を指定しまたは予め設定してもよい。例えば、端末の送信電力クラスが特定閾値より低くなると報知すると予め設定したり、端末が最大送信電力に達していないときに報知すると指定したりする。
【０１０４】
報知情報を生成する参照データがアップリンク電力ヘッドルームであることを例とし、端末は、アップリンク電力ヘッドルームを特定してネットワーク側に報知する。具体的に、基地局側で参照帯域幅が設定され、端末は、最大送信電力と、前記参照帯域幅での送信に必要される送信電力との差をアップリンク電力ヘッドルームとして報知する。
【０１０５】
基地局側は、上記端末の報知情報に基づいて、端末のアップリンク波形を特定する。選択可能に、パス損失が特定閾値より小さくまたは特定閾値以下である場合、端末のアップリンク波形がＣＰ−ＯＦＤＭであると設定するが、そうでない場合、端末のアップリンク波形がＤＦＴ−ｓ−ＯＦＤＭであると設定する。ダウンリンク参照信号受信電力またはダウンリンク参照信号受信品質が特定閾値より小さくまたは特定閾値以下である場合、端末のアップリンク波形がＤＦＴ−ｓ−ＯＦＤＭであると設定するが、そうでない場合、端末のアップリンク波形がＣＰ−ＯＦＤＭであると設定する。端末の現在の送信電力クラスが特定閾値より小さくまたは特定閾値以下である場合、端末のアップリンク波形がＣＰ−ＯＦＤＭであると設定するが、そうでない場合、端末のアップリンク波形がＤＦＴ−ｓ−ＯＦＤＭであると設定する。アップリンク電力ヘッドルームが特定閾値より小さくまたは特定閾値以下である場合、ＤＦＴ−ｓ−ＯＦＤＭであると設定するが、そうでない場合、端末のアップリンク波形がＣＰ−ＯＦＤＭであると設定する。
【０１０６】
なお、端末は、ランダムアクセスプロセス中またはその後に報知情報をネットワーク側に送信する。それに対応して、ネットワーク側は、報知情報を受信すると、特定したアップリンク波形をランダムアクセスプロセス中またはその後のメッセージで端末に送信する。
【０１０７】
例えば、端末は、ランダムアクセスの１つ目のメッセージ（Ｍｓｇ１）、すなわちｐｒｅａｍｂｌｅでダウンリンク測定結果またはアップリンク電力情報を基地局側に報知し、基地局側は、Ｍｓｇ１に対する応答メッセージで端末のアップリンク波形を設定し、端末は、アップリンク波形の再設定を受信する前に、Ｍｓｇ１の応答メッセージでの設定に基づいてアップリンク波形を特定する。具体的に、端末は、Ｍｓｇ１でネットワーク側に明示的に通知し、またはランダムアクセスリソースでネットワーク側に暗示的に通知する。例えば、ランダムアクセスリソースを予め区分し、異なるダウンリンク測定結果またはアップリンク電力情報に対応させる。具体的に、パス損失を例とし、予めランダムアクセスリソースを、パス損失測定結果が予め設定された閾値より大きい対応部分と、パス損失測定結果が予め設定された閾値以下である対応部分の２つの部分に区分する。
【０１０８】
例えば、端末は、ランダムアクセスの３つ目のメッセージ（Ｍｓｇ３）でダウンリンク測定結果またはアップリンク電力情報を基地局側に報知し、基地局側は、専用シグナリングで端末のアップリンク波形を設定し、端末は、アップリンク波形の再設定を受信する前に、専用シグナリングの設定に基づいてアップリンク波形を特定する。Ｍｓｇ３自身は、事前に定義されたアップリンク波形で伝送される。例えば、プロトコルでは、一律に用いられるアップリンク波形がＤＦＴ−ｓ−ＯＦＤＭであると指定される。
【０１０９】
例えば、端末は、ランダムアクセス後のアップリンク伝送プロセスでダウンリンク測定結果またはアップリンク電力情報を基地局側に報知し、基地局側は、専用シグナリングで端末のアップリンク波形を設定し、端末は、アップリンク波形の再設定を受信する前に、専用シグナリングの設定に基づいてアップリンク波形を特定する。端末は、ネットワーク側のアップリンク設定を受信する前に、事前に定義されたアップリンク波形で伝送する。例えば、プロトコルでは、一律に用いられるアップリンク波形がＤＦＴ−ｓ−ＯＦＤＭであると指定される。
【０１１０】
なお、実際の応用において、端末がアップリンク波形でデータを伝送する目的を実現するために、上記状況を組み合わせてもよい。
【０１１１】
実際の応用の１つの実現方式として、基地局側は、自セルで用いられるアップリンク波形を放送メッセージで通知し、さらに、端末は、アップリンク電力情報を報知し、基地局側は、端末からの報知情報に基づいて、アップリンク波形を特定して端末に通知する。
【０１１２】
例えば、基地局側は、自セルの端末のアップリンクで用いられるアップリンク波形がすべてＤＦＴ−ｓ−ＯＦＤＭであることを放送メッセージで通知し、さらに、端末は、アップリンク電力情報を特定して基地局側に報知し、基地局側は、端末のアップリンク波形を特定して端末に通知する。なお、端末は、ネットワーク側によって設定されたアップリンク波形を受信する前に、アップリンク波形としてすべてＤＦＴ−ｓ−ＯＦＤＭが用いられるが、基地局側の設定を受信した後に、基地局側がアップリンク電力情報に基づいて設定したアップリンク波形でデータ伝送を行う。
【０１１３】
なお、ＣＰ−ＯＦＤＭは、ＤＦＴ−ｓ−ＯＦＤＭよりピーク対平均値比が高いため、端末には高い電力バックオフが必要される。基地局は、端末の送信電力調整のために、電力バックオフ値を通知してもよい。したがって、本実施例におけるアップリンク波形取得方法は、端末のアップリンク波形がＣＰ−ＯＦＤＭとＤＦＴ−ｓ−ＯＦＤＭの間で切り替わる場合、端末の送信電力調整に用いられる電力バックオフ値をネットワーク側から受信することをさらに含む。
【０１１４】
なお、当該電力バックオフ値は、基地局側から放送メッセージで通知され、または、端末と基地局との通信の任意の時刻に基地局から端末に送信される。選択可能に、基地局側からアップリンク波形の変更を端末に通知する場合、当該電力バックオフ値を併せて端末に通知する。
【０１１５】
本開示において、５Ｇ  ＮＲで端末のアップリンク波形を特定することによって、端末が当該アップリンク波形に基づいて情報の伝送を行うことができるため、５Ｇ  ＮＲでのネットワーク通信フローを補充し、ネットワーク通信の信頼性を保証する。
【０１１６】
図２は、本開示の実施例における端末のモジュール図を示す。図２に示す本開示の実施例は、端末２０を提供する。当該端末２０は、端末の情報伝送用のアップリンク波形を取得することに用いられる取得モジュール２１と、前記アップリンク波形に基づいて、情報の伝送を行うことに用いられる伝送モジュール２２とを含む。
【０１１７】
選択可能に、前記取得モジュール２１は、プロトコルによって予め指定された所定条件とアップリンク波形との対応関係に基づいて、端末の現在の情報伝送用のアップリンク波形を特定することに用いられる第１特定サブモジュール、または、ネットワーク側から端末に対し特定され、所定メッセージによって送信された情報伝送用のアップリンク波形を受信することに用いられる第１受信サブモジュール、または、ネットワーク側から端末の報知情報に基づいてフィードバックされた端末の情報伝送用のアップリンク波形を受信することに用いられる第２受信サブモジュールを含む。
【０１１８】
選択可能に、前記第１特定サブモジュールは、プロトコルによって予め指定された周波数帯域とアップリンク波形との対応関係、および、端末の現在の動作周波数帯域または周波数に基づいて、情報伝送用のアップリンク波形を特定することに用いられる。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【０１１９】
選択可能に、前記第１特定サブモジュールは、プロトコルによって予め指定された端末のサービス種類とアップリンク波形との対応関係、および、端末の現在のサービス種類に基づいて、情報伝送用のアップリンク波形を特定することに用いられる。
【０１２０】
選択可能に、前記第１特定サブモジュールは、プロトコルによって予め指定されたリンク種類とアップリンク波形との対応関係、および、端末の現在のリンク種類に基づいて、情報伝送用のアップリンク波形を特定することに用いられる。
【０１２１】
具体的に、前記所定メッセージは、放送メッセージまたは専用メッセージである。
【０１２２】
具体的に、前記第１受信サブモジュールは、ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することに用いられる。
【０１２３】
具体的に、前記第２受信サブモジュールは、ダウンリンク測定結果情報および／またはアップリンク電力情報を含む報知情報をネットワーク側に送信することに用いられる第１送信ユニットと、ネットワーク側から前記報知情報に基づいて特定されてフィードバックされた端末の情報伝送用のアップリンク波形を受信することに用いられる第１受信ユニットとを含む。
【０１２４】
選択可能に、前記第１送信ユニットは、ランダムアクセスプロセス中またはその後に報知情報をネットワーク側に送信することに用いられる。
【０１２５】
具体的に、前記第１送信ユニットは、報知情報を生成するための、パス損失、ダウンリンク参照信号受信電力、ダウンリンク参照信号受信品質、現在の送信電力クラスまたはアップリンク電力ヘッドルームを含む参照データの参照値を取得することに用いられる取得サブユニットと、前記参照値に基づいて、参照値または参照値と予め設定された閾値との差を含む前記報知情報を生成することに用いられる生成サブユニットと、前記報知情報をネットワーク側に送信することに用いられる送信サブユニットとを含む。
【０１２６】
具体的に、前記参照データにパス損失、ダウンリンク参照信号受信電力またはダウンリンク参照信号受信品質が含まれる場合、前記生成サブユニットは、端末のアップリンク電力オフセットを取得することと、前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとに用いられる。
【０１２７】
ここで、前記の端末のアップリンク電力オフセットを取得する方式として、端末の送信電力クラスおよびネットワーク側から予め設定された送信電力閾値に基づいて、端末のアップリンク電力オフセットを得る。
【０１２８】
選択可能に、前記報知情報に参照値と予め設定された閾値との差が含まれる場合、前記端末は、ネットワーク側から送信される予め設定された閾値を受信することに用いられる第１受信モジュールをさらに含む。
【０１２９】
具体的に、前記報知情報に参照値と予め設定された閾値との差が含まれる場合、前記送信サブユニットは、前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することに用いられる。
【０１３０】
具体的に、前記参照データにパス損失または現在の送信電力クラスが含まれる場合、前記第１受信ユニットは、パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することに用いられる。
【０１３１】
具体的に、前記参照データにダウンリンク参照信号受信電力、ダウンリンク参照信号受信品質またはアップリンク電力ヘッドルームが含まれる場合、前記第１受信ユニットは、ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することに用いられる。
【０１３２】
選択可能に、前記端末２０は、端末のアップリンク波形がＣＰ−ＯＦＤＭとＤＦＴ−ｓ−ＯＦＤＭの間で切り替わる場合、端末の送信電力調整に用いられる電力バックオフ値をネットワーク側から受信することに用いられる第２受信モジュールをさらに含む。
【０１３３】
なお、当該端末の実施例は、上記のアップリンク波形取得方法の実施例に一対一に対応する端末である。上記アップリンク波形取得方法の実施例におけるすべての実現形態は、いずれも当該端末の実施例に適用し、同一の技術効果を奏することもできる。
【０１３４】
図３は、本開示の実施例における端末の構造図を示す。図３に示す本開示の実施例は、端末を提供する。当該端末は、プロセッサ３１と、バスインタフェース３２を介して前記プロセッサ３１に接続されるメモリ３３とを含む。
【０１３５】
前記メモリ３３は、前記プロセッサ３１による操作実行に用いられるプログラムおよびデータを記憶することに用いられる。プロセッサ３１は、前記メモリ３３に格納されているプログラムおよびデータを呼び出して実行すると、端末の情報伝送用のアップリンク波形を取得するプロセスと、前記アップリンク波形に基づいて、トランシーバ３４で情報の伝送を行うプロセスとを実行する。前記の端末の情報伝送用のアップリンク波形を取得することは、プロトコルによって予め指定された所定条件とアップリンク波形との対応関係に基づいて、端末の現在の情報伝送用のアップリンク波形を特定すること、または、ネットワーク側から端末に対し特定され、所定メッセージによって送信された情報伝送用のアップリンク波形をトランシーバ３４で受信すること、または、ネットワーク側から端末の報知情報に基づいてフィードバックされた端末の情報伝送用のアップリンク波形をトランシーバ３４で受信することを含む。
【０１３６】
ここで、トランシーバ３４は、バスインタフェース３２に接続され、ネットワーク側から特定された端末の情報伝送用のアップリンク波形をプロセッサ３１の制御下で取得することに用いられる。
【０１３７】
なお、図３において、バスアーキテクチャは、任意数の相互接続するバスとブリッジを含み、具体的に、プロセッサ３１をはじめとする１つ又は複数のプロセッサとメモリ３３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ３４は、複数の部品であってもよく、即ち送信機と受信機を含み、伝送媒体でほかの各種類の装置と通信するユニットとして提供される。ユーザ端末によっては、ユーザインタフェース３５は、内部接続や外部接続する機器のインタフェースであってもよい。接続する機器は、キーパッド、ディスプレイ、スピーカ、マイクロフォン、ジョイスティックなどを含むが、それらに限られない。プロセッサ３１は、バスアーキテクチャと通常の処理を管理する。メモリ３３は、プロセッサ３１による操作実行時に使用されるデータを記憶することができる。
【０１３８】
上記実施例を実現するステップのすべてまたは一部は、ハードウェアによって完成させてもよく、コンピュータプログラムによって関連ハードウェアに指示して完成させてもよいと当業者が理解できる。前記コンピュータプログラムは、上記方法のステップの一部またはすべてを実行する指令を含み、かつ読み取り可能な記憶媒体に格納される。記憶媒体は、あらゆる形態での記憶媒体である。
【０１３９】
図４は、本開示の実施例におけるアップリンク波形フィードバック方法のフローチャートである。図４に示す本開示の実施例は、アップリンク波形フィードバック方法を提供する。当該アップリンク波形フィードバック方法において、端末の情報伝送用のアップリンク波形を特定するステップ４１を含む。
【０１４０】
ここで、前記ステップ４１は、プロトコルによって予め指定された所定条件とアップリンク波形との対応関係に基づいて、端末の現在の情報伝送用のアップリンク波形を特定すること、または、周波数帯域、端末のサービス種類、リンク種類、セル半径の大きさまたは端末のカバレッジ状況に基づいて、端末の情報伝送用のアップリンク波形を特定すること、または、端末の報知情報に基づいて、端末の情報伝送用のアップリンク波形を特定することを含む。
【０１４１】
選択可能に、前記のプロトコルによって予め指定された所定条件とアップリンク波形との対応関係に基づいて、端末の現在の情報伝送用のアップリンク波形を特定することは、プロトコルによって予め指定された周波数帯域とアップリンク波形との対応関係、および、端末の現在の動作周波数帯域または周波数に基づいて、情報伝送用のアップリンク波形を特定することを含む。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【０１４２】
選択可能に、前記のプロトコルによって予め指定された所定条件とアップリンク波形との対応関係に基づいて、端末の現在の情報伝送用のアップリンク波形を特定することは、プロトコルによって予め指定された端末のサービス種類とアップリンク波形との対応関係、および、端末の現在のサービス種類に基づいて、情報伝送用のアップリンク波形を特定することを含む。
【０１４３】
選択可能に、前記のプロトコルによって予め指定された所定条件とアップリンク波形との対応関係に基づいて、端末の現在の情報伝送用のアップリンク波形を特定することは、プロトコルによって予め指定されたリンク種類とアップリンク波形との対応関係、および、端末の現在のリンク種類に基づいて、情報伝送用のアップリンク波形を特定することを含む。
【０１４４】
選択可能に、周波数帯域、端末のサービス種類、リンク種類、セル半径の大きさまたは端末のカバレッジ状況に基づいて、端末の情報伝送用のアップリンク波形を特定した後に、前記アップリンク波形フィードバック方法において、所定メッセージによって前記アップリンク波形を端末に通知することをさらに含む。
【０１４５】
ここで、前記所定メッセージは、放送メッセージまたは専用メッセージである。
【０１４６】
選択可能に、前記の端末の報知情報に基づいて、端末の情報伝送用のアップリンク波形を特定することは、ダウンリンク測定結果情報および／またはアップリンク電力情報を含む報知情報を端末から受信することと、前記報知情報に基づいて、端末の情報伝送用のアップリンク波形を特定することとを含む。
【０１４７】
具体的に、前記の報知情報を端末から受信することは、ランダムアクセスプロセス中またはその後に報知情報を端末から受信することを含む。
【０１４８】
選択可能、前記の報知情報を端末から受信することは、参照データの参照値に基づいて生成された報知情報を端末から受信することを含む。ここで、前記参照データは、パス損失、ダウンリンク参照信号受信電力、ダウンリンク参照信号受信品質、現在の送信電力クラスまたはアップリンク電力ヘッドルームを含む。前記報知情報は、参照値または参照値と予め設定された閾値との差を含む。
【０１４９】
選択可能に、前記参照データにパス損失、ダウンリンク参照信号受信電力またはダウンリンク参照信号受信品質が含まれる場合、前記の参照データの参照値に基づいて生成された報知情報を端末から受信することは、アップリンク電力オフセットおよび参照データの参照値に基づいて生成された報知情報を端末から受信することを含む。ここで、前記報知情報は、参照値とアップリンク電力オフセットとの差、または、参照値とアップリンク電力オフセットとの差と予め設定された閾値との差を含む。
【０１５０】
選択可能に、前記報知情報に参照値と予め設定された閾値との差が含まれる場合、前記の参照データの参照値に基づいて生成された報知情報を前記基地局から受信する前に、前記アップリンク波形フィードバック方法において、予め設定された閾値を端末に送信することをさらに含む。
【０１５１】
選択可能に、前記報知情報に参照値と予め設定された閾値との差が含まれる場合、前記の報知情報を端末から受信する前に、前記アップリンク波形フィードバック方法において、端末から報知情報をフィードバックする所定ルールを端末に送信することをさらに含む。前記所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。
【０１５２】
具体的に、前記参照データにパス損失または現在の送信電力クラスが含まれる場合、前記の前記報知情報に基づいて端末の情報伝送用のアップリンク波形を特定することは、パス損失または現在の送信電力クラスの参照値が第１所定閾値より小さくまたは第１所定閾値以下である場合、端末の情報伝送用のアップリンク波形がＣＰ−ＯＦＤＭであると特定すること、および、パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することを含む。
【０１５３】
具体的に、前記参照データにダウンリンク参照信号受信電力、ダウンリンク参照信号受信品質またはアップリンク電力ヘッドルームが含まれる場合、前記の前記報知情報に基づいて端末の情報伝送用のアップリンク波形を特定することは、ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することを含む。
【０１５４】
選択可能に、前記アップリンク波形フィードバック方法において、端末のアップリンク波形がＣＰ−ＯＦＤＭとＤＦＴ−ｓ−ＯＦＤＭの間で切り替わる場合、端末の送信電力調整に用いられる電力バックオフ値を端末に送信することをさらに含む。
【０１５５】
ここで、上記図１に示す実施例において基地局に関するすべての記載は、基地局に応用される当該アップリンク波形フィードバック方法の実施例に適用し、同一の技術効果を奏することもできる。
【０１５６】
図５は、本開示の実施例における基地局のモジュール図を示す。図５に示す本開示の実施例は、基地局５０を提供する。当該基地局５０は、端末の情報伝送用のアップリンク波形を特定することに用いられる特定モジュール５１を含む。
【０１５７】
ここで、前記特定モジュール５１は、プロトコルによって予め指定された所定条件とアップリンク波形との対応関係に基づいて、端末の現在の情報伝送用のアップリンク波形を特定することに用いられる第２特定サブモジュール、または、周波数帯域、端末のサービス種類、リンク種類、セル半径の大きさまたは端末のカバレッジ状況に基づいて、端末の情報伝送用のアップリンク波形を特定することに用いられる第３特定サブモジュール、または、端末の報知情報に基づいて、端末の情報伝送用のアップリンク波形を特定することに用いられる第４特定サブモジュールとを含む。
【０１５８】
具体的に、前記第２特定サブモジュールは、プロトコルによって予め指定された周波数帯域とアップリンク波形との対応関係、および、端末の現在の動作周波数帯域または周波数に基づいて、情報伝送用のアップリンク波形を特定することに用いられる。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【０１５９】
具体的に、前記第２特定サブモジュールは、プロトコルによって予め指定された端末のサービス種類とアップリンク波形との対応関係、および、端末の現在のサービス種類に基づいて、情報伝送用のアップリンク波形を特定することに用いられる。
【０１６０】
具体的に、前記第２特定サブモジュールは、プロトコルによって予め指定されたリンク種類とアップリンク波形との対応関係、および、端末の現在のリンク種類に基づいて、情報伝送用のアップリンク波形を特定することに用いられる。
【０１６１】
選択可能に、前記特定モジュールに第３特定サブモジュールが含まれる場合、前記基地局５０は、所定メッセージによって前記アップリンク波形を端末に通知することに用いられる通知モジュールをさらに含む。具体的に、前記所定メッセージは、放送メッセージまたは専用メッセージである。
【０１６２】
具体的に、前記第４特定サブモジュールは、ダウンリンク測定結果情報および／またはアップリンク電力情報を含む報知情報を端末から受信することに用いられる第２受信ユニットと、前記報知情報に基づいて、端末の情報伝送用のアップリンク波形を特定することに用いられる特定ユニットとを含む。
【０１６３】
具体的に、前記第２受信ユニットは、ランダムアクセスプロセス中またはその後に報知情報を端末から受信することに用いられる。
【０１６４】
具体的に、前記第２受信ユニットは、参照データの参照値に基づいて生成された報知情報を端末から受信することに用いられる。ここで、前記参照データは、パス損失、ダウンリンク参照信号受信電力、ダウンリンク参照信号受信品質、現在の送信電力クラスまたはアップリンク電力ヘッドルームを含む。前記報知情報は、参照値または参照値と予め設定された閾値との差を含む。
【０１６５】
具体的に、前記参照データにパス損失、ダウンリンク参照信号受信電力またはダウンリンク参照信号受信品質が含まれる場合、前記第２受信ユニットは、アップリンク電力オフセットおよび参照データの参照値に基づいて生成された報知情報を端末から受信することに用いられる。ここで、前記報知情報は、参照値とアップリンク電力オフセットとの差、または、参照値とアップリンク電力オフセットとの差と所定閾値との差を含む。
【０１６６】
具体的に、前記報知情報に参照値と予め設定された閾値との差が含まれる場合、前記基地局は、予め設定された閾値を端末に送信することに用いられる第１送信モジュールをさらに含む。
【０１６７】
具体的に、前記報知情報に参照値と予め設定された閾値との差が含まれる場合、前記基地局は、端末から報知情報をフィードバックする所定ルールを端末に送信することに用いられる第２送信モジュールをさらに含む。前記所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。
【０１６８】
具体的に、前記参照データにパス損失または現在の送信電力クラスが含まれる場合、前記特定ユニットは、パス損失または現在の送信電力クラスの参照値が第１所定閾値より小さくまたは第１所定閾値以下である場合、端末の情報伝送用のアップリンク波形がＣＰ−ＯＦＤＭであると特定すること、および、パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することに用いられる。
【０１６９】
具体的に、前記参照データにダウンリンク参照信号受信電力、ダウンリンク参照信号受信品質またはアップリンク電力ヘッドルームが含まれる場合、前記特定ユニットは、ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することに用いられる。
【０１７０】
選択可能に、前記基地局５０は、端末のアップリンク波形がＣＰ−ＯＦＤＭとＤＦＴ−ｓ−ＯＦＤＭの間で切り替わる場合、端末の送信電力調整に用いられる電力バックオフ値を端末に送信することに用いられる第３送信モジュールをさらに含む。
【０１７１】
なお、当該基地局の実施例は、上記のアップリンク波形フィードバック方法の実施例に一対一に対応する基地局である。上記アップリンク波形フィードバック方法の実施例におけるすべての実現形態は、いずれも当該基地局の実施例に適用し、同一の技術効果を奏することもできる。
【０１７２】
図６は、本開示の実施例における基地局の構造図を示す。図６に示す本開示の実施例は、基地局を提供する。当該基地局は、プロセッサ６１と、バスインタフェース６２を介して前記プロセッサ６１に接続されるメモリ６３とを含む。
【０１７３】
前記メモリ６３は、前記プロセッサ６１による操作実行に用いられるプログラムおよびデータを記憶することに用いられる。プロセッサ６１は、前記メモリ６３に格納されているプログラムおよびデータを呼び出して実行すると、端末の情報伝送用のアップリンク波形を特定するプロセスを実行する。ここで、前記の端末の情報伝送用のアップリンク波形を特定することは、プロトコルによって予め指定された所定条件とアップリンク波形との対応関係に基づいて、端末の現在の情報伝送用のアップリンク波形を特定すること、または、周波数帯域、端末のサービス種類、リンク種類、セル半径の大きさまたは端末のカバレッジ状況に基づいて、端末の情報伝送用のアップリンク波形を特定すること、または、端末の報知情報に基づいて、端末の情報伝送用のアップリンク波形を特定することを含む。
【０１７４】
なお、当該プロセッサ６１は、上記基地局のそれ以外の任意のモジュールの機能を実現することに用いられてもよい。
【０１７５】
なお、図６において、バスアーキテクチャは、任意数の相互接続するバスとブリッジを含み、具体的に、プロセッサ６１をはじめとする１つ又は複数のプロセッサとメモリ６３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。プロセッサ６１は、バスアーキテクチャと通常の処理を管理する。メモリ６３は、プロセッサ６１による操作実行時に使用されるデータを記憶することができる。
【０１７６】
本開示において、５Ｇ  ＮＲで端末のアップリンク波形を特定することによって、端末が当該アップリンク波形に基づいて情報の伝送を行うことができるため、５Ｇ  ＮＲでのネットワーク通信フローを補充し、ネットワーク通信の信頼性を保証する。
【０１７７】
上記実施例を実現するステップのすべてまたは一部は、ハードウェアによって完成させてもよく、コンピュータプログラムによって関連ハードウェアに指示して完成させてもよいと当業者が理解できる。前記コンピュータプログラムは、上記方法のステップの一部またはすべてを実行する指令を含み、かつ読み取り可能な記憶媒体に格納される。記憶媒体は、あらゆる形態での記憶媒体である。
【０１７８】
以上の記載は、本開示の選択可能な実施形態である。なお、当業者にとって、本開示に記載した原理を逸脱することなくいくつかの改良や修飾を行うこともできる。これらの改良や修飾も、本開示の保護範囲内にある。
【図１】
2020501408.tif 000012
【図２】
2020501408.tif 000013
【図３】
2020501408.tif 000014
【図４】
2020501408.tif 000015
【図５】
2020501408.tif 000016
【図６】
2020501408.tif 000017
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
端末の情報伝送用のアップリンク波形を取得することと、
前記アップリンク波形に基づいて、情報の伝送を行うこととを含むアップリンク波形取得方法において、
前記端末の情報伝送用のアップリンク波形を取得することは、
プロトコルによって予め指定された所定条件とアップリンク波形との対応関係に基づいて、端末の現在の情報伝送用のアップリンク波形を特定すること、または、
ネットワーク側から端末に対し特定され、所定メッセージによって送信された情報伝送用のアップリンク波形を受信すること、または、
ネットワーク側から端末の報知情報に基づいてフィードバックされた端末の情報伝送用のアップリンク波形を受信することを含むアップリンク波形取得方法。
【請求項２】
前記プロトコルによって予め指定された所定条件とアップリンク波形との対応関係に基づいて、端末の現在の情報伝送用のアップリンク波形を特定することは、
プロトコルによって予め指定された周波数帯域とアップリンク波形との対応関係、および、端末の現在の動作周波数帯域または周波数に基づいて、情報伝送用のアップリンク波形を特定することを含み、ここで、
前記周波数帯域は、
ライセンス周波数帯域であるか否かに応じて区分されたライセンス周波数帯域とアンライセンス周波数帯域を含み、または、
周波数の高低に応じて区分された、第１所定周波数より高い周波数の周波数帯域と第１所定周波数以下の周波数の周波数帯域を含み、または、
周波数の高低に応じて区分された、第２所定周波数以上の周波数の周波数帯域と第２所定周波数より低い周波数の周波数帯域を含み、
または、
前記プロトコルによって予め指定された所定条件とアップリンク波形との対応関係に基づいて、端末の現在の情報伝送用のアップリンク波形を特定することは、
プロトコルによって予め指定された端末のサービス種類とアップリンク波形との対応関係、および、端末の現在のサービス種類に基づいて、情報伝送用のアップリンク波形を特定することを含み、
または、
前記プロトコルによって予め指定された所定条件とアップリンク波形との対応関係に基づいて、端末の現在の情報伝送用のアップリンク波形を特定することは、
プロトコルによって予め指定されたリンク種類とアップリンク波形との対応関係、および、端末の現在のリンク種類に基づいて、情報伝送用のアップリンク波形を特定することを含む請求項１に記載のアップリンク波形取得方法。
【請求項３】
前記ネットワーク側から端末に対し特定され、所定メッセージによって送信された情報伝送用のアップリンク波形を受信することは、
ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することを含み、
または、
前記ネットワーク側から端末の報知情報に基づいてフィードバックされた端末の情報伝送用のアップリンク波形を受信することは、
ダウンリンク測定結果情報および／またはアップリンク電力情報を含む報知情報をネットワーク側に送信することと、
ネットワーク側から前記報知情報に基づいて特定されてフィードバックされた端末の情報伝送用のアップリンク波形を受信することとを含む請求項１に記載のアップリンク波形取得方法。
【請求項４】
前記報知情報をネットワーク側に送信することは、
報知情報を生成するための、パス損失、ダウンリンク参照信号受信電力、ダウンリンク参照信号受信品質、現在の送信電力クラスまたはアップリンク電力ヘッドルームを含む参照データの参照値を取得することと、
前記参照値に基づいて、参照値または参照値と予め設定された閾値との差を含む前記報知情報を生成することと、
前記報知情報をネットワーク側に送信することとを含む請求項３に記載のアップリンク波形取得方法。
【請求項５】
前記参照データにパス損失、ダウンリンク参照信号受信電力またはダウンリンク参照信号受信品質が含まれる場合、
前記参照値に基づいて前記報知情報を生成することは、
端末のアップリンク電力オフセットを取得することと、
前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとを含む請求項４に記載のアップリンク波形取得方法。
【請求項６】
前記端末のアップリンク電力オフセットを取得することは、
端末の送信電力クラスおよびネットワーク側から予め設定された送信電力閾値に基づいて、端末のアップリンク電力オフセットを得ることを含む請求項５に記載のアップリンク波形取得方法。
【請求項７】
前記報知情報に参照値と予め設定された閾値との差が含まれる場合、
前記参照値に基づいて前記報知情報を生成する前に、
ネットワーク側から送信される予め設定された閾値を受信することをさらに含み、
及び／または、
前記報知情報に参照値と予め設定された閾値との差が含まれる場合、
前記報知情報をネットワーク側に送信することは、
前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することを含む請求項４に記載のアップリンク波形取得方法。
【請求項８】
前記参照データにパス損失または現在の送信電力クラスが含まれる場合、
前記ネットワーク側から前記報知情報に基づいて特定されてフィードバックされた端末の情報伝送用のアップリンク波形を受信することは、
パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、
パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することを含み、
または、
前記参照データにダウンリンク参照信号受信電力、ダウンリンク参照信号受信品質またはアップリンク電力ヘッドルームが含まれる場合、
前記ネットワーク側から前記報知情報に基づいて特定されてフィードバックされた端末の情報伝送用のアップリンク波形を受信することは、
ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、
ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することを含む請求項４に記載のアップリンク波形取得方法。
【請求項９】
端末の情報伝送用のアップリンク波形を取得することに用いられる取得モジュールと、
前記アップリンク波形に基づいて、情報の伝送を行うことに用いられる伝送モジュールとを含む端末において、
前記取得モジュールは、
プロトコルによって予め指定された所定条件とアップリンク波形との対応関係に基づいて、端末の現在の情報伝送用のアップリンク波形を特定することに用いられる第１特定サブモジュール、または、
ネットワーク側から端末に対し特定され、所定メッセージによって送信された情報伝送用のアップリンク波形を受信することに用いられる第１受信サブモジュール、または、
ネットワーク側から端末の報知情報に基づいてフィードバックされた端末の情報伝送用のアップリンク波形を受信することに用いられる第２受信サブモジュールを含む端末。
【請求項１０】
端末の情報伝送用のアップリンク波形を特定することを含むアップリンク波形フィードバック方法において、
前記端末の情報伝送用のアップリンク波形を特定することは、
プロトコルによって予め指定された所定条件とアップリンク波形との対応関係に基づいて、端末の現在の情報伝送用のアップリンク波形を特定すること、または、
周波数帯域、端末のサービス種類、リンク種類、セル半径の大きさまたは端末のカバレッジ状況に基づいて、端末の情報伝送用のアップリンク波形を特定すること、または、
端末の報知情報に基づいて、端末の情報伝送用のアップリンク波形を特定することを含むアップリンク波形フィードバック方法。
【請求項１１】
前記プロトコルによって予め指定された所定条件とアップリンク波形との対応関係に基づいて、端末の現在の情報伝送用のアップリンク波形を特定することは、
プロトコルによって予め指定された周波数帯域とアップリンク波形との対応関係、および、端末の現在の動作周波数帯域または周波数に基づいて、情報伝送用のアップリンク波形を特定することを含み、
ここで、前記周波数帯域は、
ライセンス周波数帯域であるか否かに応じて区分されたライセンス周波数帯域とアンライセンス周波数帯域を含み、または、
周波数の高低に応じて区分された、第１所定周波数より高い周波数の周波数帯域と第１所定周波数以下の周波数の周波数帯域を含み、または、
周波数の高低に応じて区分された、第２所定周波数以上の周波数の周波数帯域と第２所定周波数より低い周波数の周波数帯域を含み、
または、
前記プロトコルによって予め指定された所定条件とアップリンク波形との対応関係に基づいて、端末の現在の情報伝送用のアップリンク波形を特定することは、
プロトコルによって予め指定された端末のサービス種類とアップリンク波形との対応関係、および、端末の現在のサービス種類に基づいて、情報伝送用のアップリンク波形を特定することを含み、
または、
前記プロトコルによって予め指定された所定条件とアップリンク波形との対応関係に基づいて、端末の現在の情報伝送用のアップリンク波形を特定することは、
プロトコルによって予め指定されたリンク種類とアップリンク波形との対応関係、および、端末の現在のリンク種類に基づいて、情報伝送用のアップリンク波形を特定することを含む請求項１０に記載のアップリンク波形フィードバック方法。
【請求項１２】
周波数帯域、端末のサービス種類、リンク種類、セル半径の大きさまたは端末のカバレッジ状況に基づいて、端末の情報伝送用のアップリンク波形を特定した後に、
所定メッセージによって前記アップリンク波形を端末に通知することをさらに含み、
または、
前記端末の報知情報に基づいて、端末の情報伝送用のアップリンク波形を特定することは、
ダウンリンク測定結果情報および／またはアップリンク電力情報を含む報知情報を端末から受信することと、
前記報知情報に基づいて、端末の情報伝送用のアップリンク波形を特定することとを含む請求項１０に記載のアップリンク波形フィードバック方法。
【請求項１３】
前記報知情報を端末から受信することは、
参照データの参照値に基づいて生成された報知情報を端末から受信することを含み、
ここで、前記参照データは、
パス損失、ダウンリンク参照信号受信電力、ダウンリンク参照信号受信品質、現在の送信電力クラスまたはアップリンク電力ヘッドルームを含み、
前記報知情報は、
参照値または参照値と予め設定された閾値との差を含む請求項１２に記載のアップリンク波形フィードバック方法。
【請求項１４】
前記参照データにパス損失、ダウンリンク参照信号受信電力またはダウンリンク参照信号受信品質が含まれる場合、
前記参照データの参照値に基づいて生成された報知情報を端末から受信することは、
アップリンク電力オフセットおよび参照データの参照値に基づいて生成された報知情報を端末から受信することを含み、
ここで、前記報知情報は、
参照値とアップリンク電力オフセットとの差、または、参照値とアップリンク電力オフセットとの差と予め設定された閾値との差を含み、
または、
前記報知情報に参照値と予め設定された閾値との差が含まれる場合、
前記参照データの参照値に基づいて生成された報知情報を端末から受信する前に、
予め設定された閾値を端末に送信することをさらに含み、
または、
前記報知情報に参照値と予め設定された閾値との差が含まれる場合、
前記報知情報を端末から受信する前に、
端末から報知情報をフィードバックする所定ルールを端末に送信することをさらに含み、
前記所定ルールは、
参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである請求項１３に記載のアップリンク波形フィードバック方法。
【請求項１５】
端末の情報伝送用のアップリンク波形を特定することに用いられる特定モジュールを含む基地局において、
前記特定モジュールは、
プロトコルによって予め指定された所定条件とアップリンク波形との対応関係に基づいて、端末の現在の情報伝送用のアップリンク波形を特定することに用いられる第２特定サブモジュール、または、
周波数帯域、端末のサービス種類、リンク種類、セル半径の大きさまたは端末のカバレッジ状況に基づいて、端末の情報伝送用のアップリンク波形を特定することに用いられる第３特定サブモジュール、または、
端末の報知情報に基づいて、端末の情報伝送用のアップリンク波形を特定することに用いられる第４特定サブモジュールとを含む基地局。
【手続補正２】
【補正対象書類名】明細書
【補正対象項目名】０００５
【補正方法】変更
【補正の内容】
【０００５】
第１態様として、本開示の実施例は、アップリンク波形取得方法を提供する。当該方法において、端末の情報伝送用のアップリンク波形を取得することと、前記アップリンク波形に基づいて、情報の伝送を行うこととを含む。ここで、前記端末の情報伝送用のアップリンク波形を取得することは、プロトコルによって予め指定された所定条件とアップリンク波形との対応関係に基づいて、端末の現在の情報伝送用のアップリンク波形を特定すること、または、ネットワーク側から端末に対し特定され、所定メッセージによって送信された情報伝送用のアップリンク波形を受信すること、または、ネットワーク側から端末の報知情報に基づいてフィードバックされた端末の情報伝送用のアップリンク波形を受信することを含む。
【手続補正３】
【補正対象書類名】明細書
【補正対象項目名】０００６
【補正方法】変更
【補正の内容】
【０００６】
さらに、前記プロトコルによって予め指定された所定条件とアップリンク波形との対応関係に基づいて、端末の現在の情報伝送用のアップリンク波形を特定することは、プロトコルによって予め指定された周波数帯域とアップリンク波形との対応関係、および、端末の現在の動作周波数帯域または周波数に基づいて、情報伝送用のアップリンク波形を特定することを含む。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【手続補正４】
【補正対象書類名】明細書
【補正対象項目名】０００７
【補正方法】変更
【補正の内容】
【０００７】
さらに、前記プロトコルによって予め指定された所定条件とアップリンク波形との対応関係に基づいて、端末の現在の情報伝送用のアップリンク波形を特定することは、プロトコルによって予め指定された端末のサービス種類とアップリンク波形との対応関係、および、端末の現在のサービス種類に基づいて、情報伝送用のアップリンク波形を特定することを含む。
【手続補正５】
【補正対象書類名】明細書
【補正対象項目名】０００８
【補正方法】変更
【補正の内容】
【０００８】
さらに、前記プロトコルによって予め指定された所定条件とアップリンク波形との対応関係に基づいて、端末の現在の情報伝送用のアップリンク波形を特定することは、
プロトコルによって予め指定されたリンク種類とアップリンク波形との対応関係、および、端末の現在のリンク種類に基づいて、情報伝送用のアップリンク波形を特定することを含む。
【手続補正６】
【補正対象書類名】明細書
【補正対象項目名】０００９
【補正方法】変更
【補正の内容】
【０００９】
さらに、前記所定メッセージは、放送メッセージまたは専用メッセージである。
【手続補正７】
【補正対象書類名】明細書
【補正対象項目名】００１０
【補正方法】変更
【補正の内容】
【００１０】
さらに、前記ネットワーク側から端末に対し特定され、所定メッセージによって送信された情報伝送用のアップリンク波形を受信することは、ネットワーク側から周波数帯域、端末のサービス種類、リンク種類、セル半径の大きさまたは端末のカバレッジ状況に基づいて特定され、所定メッセージによって送信された端末の情報伝送用のアップリンク波形を受信することを含む。
【手続補正８】
【補正対象書類名】明細書
【補正対象項目名】００１１
【補正方法】変更
【補正の内容】
【００１１】
さらに、前記ネットワーク側から端末の報知情報に基づいてフィードバックされた端末の情報伝送用のアップリンク波形を受信することは、ダウンリンク測定結果情報および／またはアップリンク電力情報を含む報知情報をネットワーク側に送信することと、ネットワーク側から前記報知情報に基づいて特定されてフィードバックされた端末の情報伝送用のアップリンク波形を受信することとを含む。
【手続補正９】
【補正対象書類名】明細書
【補正対象項目名】００１２
【補正方法】変更
【補正の内容】
【００１２】
さらに、前記報知情報をネットワーク側に送信することは、ランダムアクセスプロセス中またはその後に報知情報をネットワーク側に送信することを含む。
【手続補正１０】
【補正対象書類名】明細書
【補正対象項目名】００１３
【補正方法】変更
【補正の内容】
【００１３】
さらに、前記報知情報をネットワーク側に送信することは、報知情報を生成するための、パス損失、ダウンリンク参照信号受信電力、ダウンリンク参照信号受信品質、現在の送信電力クラスまたはアップリンク電力ヘッドルームを含む参照データの参照値を取得することと、前記参照値に基づいて、参照値または参照値と予め設定された閾値との差を含む前記報知情報を生成することと、前記報知情報をネットワーク側に送信することとを含む。
【手続補正１１】
【補正対象書類名】明細書
【補正対象項目名】００１４
【補正方法】変更
【補正の内容】
【００１４】
さらに、前記参照データにパス損失、ダウンリンク参照信号受信電力またはダウンリンク参照信号受信品質が含まれる場合、前記参照値に基づいて前記報知情報を生成することは、端末のアップリンク電力オフセットを取得することと、前記アップリンク電力オフセットおよび前記参照値に基づいて、参照値とアップリンク電力オフセットとの差、または、参照値とアップリンク電力オフセットとの差と予め設定された閾値との差を含む前記報知情報を生成することとを含む。
【手続補正１２】
【補正対象書類名】明細書
【補正対象項目名】００１５
【補正方法】変更
【補正の内容】
【００１５】
さらに、前記端末のアップリンク電力オフセットを取得することは、端末の送信電力クラスおよびネットワーク側から予め設定された送信電力閾値に基づいて、端末のアップリンク電力オフセットを得ることを含む。
【手続補正１３】
【補正対象書類名】明細書
【補正対象項目名】００１６
【補正方法】変更
【補正の内容】
【００１６】
さらに、前記報知情報に参照値と予め設定された閾値との差が含まれる場合、前記参照値に基づいて前記報知情報を生成する前に、前記アップリンク波形取得方法において、ネットワーク側から送信される予め設定された閾値を受信することをさらに含む。
【手続補正１４】
【補正対象書類名】明細書
【補正対象項目名】００１７
【補正方法】変更
【補正の内容】
【００１７】
さらに、前記報知情報に参照値と予め設定された閾値との差が含まれる場合、前記報知情報をネットワーク側に送信することは、前記参照値と予め設定された閾値との差が第１所定閾値より小さくまたは第１所定閾値以下であり、または、前記参照値と予め設定された閾値との差が第２所定閾値より大きくまたは第２所定閾値以上である場合、参照値と予め設定された閾値との差をネットワーク側に送信することを含む。
【手続補正１５】
【補正対象書類名】明細書
【補正対象項目名】００１８
【補正方法】変更
【補正の内容】
【００１８】
さらに、前記参照データにパス損失または現在の送信電力クラスが含まれる場合、前記ネットワーク側から前記報知情報に基づいて特定されてフィードバックされた端末の情報伝送用のアップリンク波形を受信することは、パス損失または現在の送信電力クラスの参照値が第１所定閾値より小さくまたは第１所定閾値以下である場合、ネットワーク側から特定されたＣＰ−ＯＦＤＭである端末の情報伝送用のアップリンク波形を受信すること、または、パス損失または現在の送信電力クラスの参照値が第１所定閾値より大きくまたは第１所定閾値以上である場合、ネットワーク側から特定されたＤＦＴ−ｓ−ＯＦＤＭである端末の情報伝送用のアップリンク波形を受信することを含む。
【手続補正１６】
【補正対象書類名】明細書
【補正対象項目名】００１９
【補正方法】変更
【補正の内容】
【００１９】
さらに、前記参照データにダウンリンク参照信号受信電力、ダウンリンク参照信号受信品質またはアップリンク電力ヘッドルームが含まれる場合、前記ネットワーク側から前記報知情報に基づいて特定されてフィードバックされた端末の情報伝送用のアップリンク波形を受信することは、ダウンリンク参照信号受信電力、ダウンリンク参照信号受信品質またはアップリンク電力ヘッドルームの参照値が第２所定閾値より小さくまたは第２所定閾値以下である場合、ネットワーク側から特定されたＤＦＴ−ｓ−ＯＦＤＭである端末の情報伝送用のアップリンク波形を受信すること、または、ダウンリンク参照信号受信電力、ダウンリンク参照信号受信品質またはアップリンク電力ヘッドルームの参照値が第２所定閾値より大きくまたは第２所定閾値以上である場合、ネットワーク側から特定されたＣＰ−ＯＦＤＭである端末の情報伝送用のアップリンク波形を受信することを含む。
【手続補正１７】
【補正対象書類名】明細書
【補正対象項目名】００３１
【補正方法】変更
【補正の内容】
【００３１】
さらに、前記端末のアップリンク電力オフセットを取得する方式として、端末の送信電力クラスおよびネットワーク側から予め設定された送信電力閾値に基づいて、端末のアップリンク電力オフセットを得る。
【手続補正１８】
【補正対象書類名】明細書
【補正対象項目名】００３７
【補正方法】変更
【補正の内容】
【００３７】
第３態様として、本開示の実施例は、アップリンク波形フィードバック方法を提供する。当該方法において、端末の情報伝送用のアップリンク波形を特定することを含む。ここで、前記端末の情報伝送用のアップリンク波形を特定することは、プロトコルによって予め指定された所定条件とアップリンク波形との対応関係に基づいて、端末の現在の情報伝送用のアップリンク波形を特定すること、または、周波数帯域、端末のサービス種類、リンク種類、セル半径の大きさまたは端末のカバレッジ状況に基づいて、端末の情報伝送用のアップリンク波形を特定すること、または、端末の報知情報に基づいて、端末の情報伝送用のアップリンク波形を特定することを含む。
【手続補正１９】
【補正対象書類名】明細書
【補正対象項目名】００３８
【補正方法】変更
【補正の内容】
【００３８】
さらに、前記プロトコルによって予め指定された所定条件とアップリンク波形との対応関係に基づいて、端末の現在の情報伝送用のアップリンク波形を特定することは、プロトコルによって予め指定された周波数帯域とアップリンク波形との対応関係、および、端末の現在の動作周波数帯域または周波数に基づいて、情報伝送用のアップリンク波形を特定することを含む。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【手続補正２０】
【補正対象書類名】明細書
【補正対象項目名】００３９
【補正方法】変更
【補正の内容】
【００３９】
さらに、前記プロトコルによって予め指定された所定条件とアップリンク波形との対応関係に基づいて、端末の現在の情報伝送用のアップリンク波形を特定することは、プロトコルによって予め指定された端末のサービス種類とアップリンク波形との対応関係、および、端末の現在のサービス種類に基づいて、情報伝送用のアップリンク波形を特定することを含む。
【手続補正２１】
【補正対象書類名】明細書
【補正対象項目名】００４０
【補正方法】変更
【補正の内容】
【００４０】
さらに、前記プロトコルによって予め指定された所定条件とアップリンク波形との対応関係に基づいて、端末の現在の情報伝送用のアップリンク波形を特定することは、プロトコルによって予め指定されたリンク種類とアップリンク波形との対応関係、および、端末の現在のリンク種類に基づいて、情報伝送用のアップリンク波形を特定することを含む。
【手続補正２２】
【補正対象書類名】明細書
【補正対象項目名】００４３
【補正方法】変更
【補正の内容】
【００４３】
さらに、前記端末の報知情報に基づいて、端末の情報伝送用のアップリンク波形を特定することは、ダウンリンク測定結果情報および／またはアップリンク電力情報を含む報知情報を端末から受信することと、前記報知情報に基づいて、端末の情報伝送用のアップリンク波形を特定することとを含む。
【手続補正２３】
【補正対象書類名】明細書
【補正対象項目名】００４４
【補正方法】変更
【補正の内容】
【００４４】
さらに、前記報知情報を端末から受信することは、ランダムアクセスプロセス中またはその後に報知情報を端末から受信することを含む。
【手続補正２４】
【補正対象書類名】明細書
【補正対象項目名】００４５
【補正方法】変更
【補正の内容】
【００４５】
さらに、前記報知情報を端末から受信することは、参照データの参照値に基づいて生成された報知情報を端末から受信することを含む。ここで、前記参照データは、パス損失、ダウンリンク参照信号受信電力、ダウンリンク参照信号受信品質、現在の送信電力クラスまたはアップリンク電力ヘッドルームを含む。前記報知情報は、参照値または参照値と予め設定された閾値との差を含む。
【手続補正２５】
【補正対象書類名】明細書
【補正対象項目名】００４６
【補正方法】変更
【補正の内容】
【００４６】
さらに、前記参照データにパス損失、ダウンリンク参照信号受信電力またはダウンリンク参照信号受信品質が含まれる場合、前記参照データの参照値に基づいて生成された報知情報を端末から受信することは、アップリンク電力オフセットおよび参照データの参照値に基づいて生成された報知情報を端末から受信することを含む。ここで、前記報知情報は、参照値とアップリンク電力オフセットとの差、または、参照値とアップリンク電力オフセットとの差と予め設定された閾値との差を含む。
【手続補正２６】
【補正対象書類名】明細書
【補正対象項目名】００４７
【補正方法】変更
【補正の内容】
【００４７】
さらに、前記報知情報に参照値と予め設定された閾値との差が含まれる場合、前記参照データの参照値に基づいて生成された報知情報を端末から受信する前に、前記アップリンク波形フィードバック方法において、所定閾値を端末に送信することをさらに含む。
【手続補正２７】
【補正対象書類名】明細書
【補正対象項目名】００４８
【補正方法】変更
【補正の内容】
【００４８】
さらに、前記報知情報に参照値と予め設定された閾値との差が含まれる場合、前記報知情報を端末から受信する前に、前記アップリンク波形フィードバック方法において、端末から報知情報をフィードバックする所定ルールを端末に送信することをさらに含む。前記所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。
【手続補正２８】
【補正対象書類名】明細書
【補正対象項目名】００４９
【補正方法】変更
【補正の内容】
【００４９】
さらに、前記参照データにパス損失または現在の送信電力クラスが含まれる場合、前記報知情報に基づいて端末の情報伝送用のアップリンク波形を特定することは、パス損失または現在の送信電力クラスの参照値が第１所定閾値より小さくまたは第１所定閾値以下である場合、端末の情報伝送用のアップリンク波形がＣＰ−ＯＦＤＭであると特定すること、および、パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することを含む。
【手続補正２９】
【補正対象書類名】明細書
【補正対象項目名】００５０
【補正方法】変更
【補正の内容】
【００５０】
さらに、前記参照データにダウンリンク参照信号受信電力、ダウンリンク参照信号受信品質またはアップリンク電力ヘッドルームが含まれる場合、前記報知情報に基づいて端末の情報伝送用のアップリンク波形を特定することは、ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することを含む。
【手続補正３０】
【補正対象書類名】明細書
【補正対象項目名】０１２７
【補正方法】変更
【補正の内容】
【０１２７】
ここで、前記端末のアップリンク電力オフセットを取得する方式として、端末の送信電力クラスおよびネットワーク側から予め設定された送信電力閾値に基づいて、端末のアップリンク電力オフセットを得る。
【手続補正３１】
【補正対象書類名】明細書
【補正対象項目名】０１３５
【補正方法】変更
【補正の内容】
【０１３５】
前記メモリ３３は、前記プロセッサ３１による操作実行に用いられるプログラムおよびデータを記憶することに用いられる。プロセッサ３１は、前記メモリ３３に格納されているプログラムおよびデータを呼び出して実行すると、端末の情報伝送用のアップリンク波形を取得するプロセスと、前記アップリンク波形に基づいて、トランシーバ３４で情報の伝送を行うプロセスとを実行する。前記端末の情報伝送用のアップリンク波形を取得することは、プロトコルによって予め指定された所定条件とアップリンク波形との対応関係に基づいて、端末の現在の情報伝送用のアップリンク波形を特定すること、または、ネットワーク側から端末に対し特定され、所定メッセージによって送信された情報伝送用のアップリンク波形をトランシーバ３４で受信すること、または、ネットワーク側から端末の報知情報に基づいてフィードバックされた端末の情報伝送用のアップリンク波形をトランシーバ３４で受信することを含む。
【手続補正３２】
【補正対象書類名】明細書
【補正対象項目名】０１４１
【補正方法】変更
【補正の内容】
【０１４１】
選択可能に、前記プロトコルによって予め指定された所定条件とアップリンク波形との対応関係に基づいて、端末の現在の情報伝送用のアップリンク波形を特定することは、プロトコルによって予め指定された周波数帯域とアップリンク波形との対応関係、および、端末の現在の動作周波数帯域または周波数に基づいて、情報伝送用のアップリンク波形を特定することを含む。ここで、前記周波数帯域は、ライセンス周波数帯域であるか否かに応じて区分されたライセンス周波数帯域とアンライセンス周波数帯域を含み、または、周波数の高低に応じて区分された、第１所定周波数より高い周波数の周波数帯域と第１所定周波数以下の周波数の周波数帯域を含み、または、周波数の高低に応じて区分された、第２所定周波数以上の周波数の周波数帯域と第２所定周波数より低い周波数の周波数帯域を含む。
【手続補正３３】
【補正対象書類名】明細書
【補正対象項目名】０１４２
【補正方法】変更
【補正の内容】
【０１４２】
選択可能に、前記プロトコルによって予め指定された所定条件とアップリンク波形との対応関係に基づいて、端末の現在の情報伝送用のアップリンク波形を特定することは、プロトコルによって予め指定された端末のサービス種類とアップリンク波形との対応関係、および、端末の現在のサービス種類に基づいて、情報伝送用のアップリンク波形を特定することを含む。
【手続補正３４】
【補正対象書類名】明細書
【補正対象項目名】０１４３
【補正方法】変更
【補正の内容】
【０１４３】
選択可能に、前記プロトコルによって予め指定された所定条件とアップリンク波形との対応関係に基づいて、端末の現在の情報伝送用のアップリンク波形を特定することは、プロトコルによって予め指定されたリンク種類とアップリンク波形との対応関係、および、端末の現在のリンク種類に基づいて、情報伝送用のアップリンク波形を特定することを含む。
【手続補正３５】
【補正対象書類名】明細書
【補正対象項目名】０１４６
【補正方法】変更
【補正の内容】
【０１４６】
選択可能に、前記端末の報知情報に基づいて、端末の情報伝送用のアップリンク波形を特定することは、ダウンリンク測定結果情報および／またはアップリンク電力情報を含む報知情報を端末から受信することと、前記報知情報に基づいて、端末の情報伝送用のアップリンク波形を特定することとを含む。
【手続補正３６】
【補正対象書類名】明細書
【補正対象項目名】０１４７
【補正方法】変更
【補正の内容】
【０１４７】
具体的に、前記報知情報を端末から受信することは、ランダムアクセスプロセス中またはその後に報知情報を端末から受信することを含む。
【手続補正３７】
【補正対象書類名】明細書
【補正対象項目名】０１４８
【補正方法】変更
【補正の内容】
【０１４８】
選択可能、前記報知情報を端末から受信することは、参照データの参照値に基づいて生成された報知情報を端末から受信することを含む。ここで、前記参照データは、パス損失、ダウンリンク参照信号受信電力、ダウンリンク参照信号受信品質、現在の送信電力クラスまたはアップリンク電力ヘッドルームを含む。前記報知情報は、参照値または参照値と予め設定された閾値との差を含む。
【手続補正３８】
【補正対象書類名】明細書
【補正対象項目名】０１４９
【補正方法】変更
【補正の内容】
【０１４９】
選択可能に、前記参照データにパス損失、ダウンリンク参照信号受信電力またはダウンリンク参照信号受信品質が含まれる場合、前記参照データの参照値に基づいて生成された報知情報を端末から受信することは、アップリンク電力オフセットおよび参照データの参照値に基づいて生成された報知情報を端末から受信することを含む。ここで、前記報知情報は、参照値とアップリンク電力オフセットとの差、または、参照値とアップリンク電力オフセットとの差と予め設定された閾値との差を含む。
【手続補正３９】
【補正対象書類名】明細書
【補正対象項目名】０１５０
【補正方法】変更
【補正の内容】
【０１５０】
選択可能に、前記報知情報に参照値と予め設定された閾値との差が含まれる場合、前記参照データの参照値に基づいて生成された報知情報を前記基地局から受信する前に、前記アップリンク波形フィードバック方法において、予め設定された閾値を端末に送信することをさらに含む。
【手続補正４０】
【補正対象書類名】明細書
【補正対象項目名】０１５１
【補正方法】変更
【補正の内容】
【０１５１】
選択可能に、前記報知情報に参照値と予め設定された閾値との差が含まれる場合、前記報知情報を端末から受信する前に、前記アップリンク波形フィードバック方法において、端末から報知情報をフィードバックする所定ルールを端末に送信することをさらに含む。前記所定ルールは、参照値と予め設定された閾値との差が第１所定閾値より小さくまたは第１所定閾値以下であり、または、前記参照値と予め設定された閾値との差が第２所定閾値より大きくまたは第２所定閾値以上である場合、端末から報知情報を送信することである。
【手続補正４１】
【補正対象書類名】明細書
【補正対象項目名】０１５２
【補正方法】変更
【補正の内容】
【０１５２】
具体的に、前記参照データにパス損失または現在の送信電力クラスが含まれる場合、前記報知情報に基づいて端末の情報伝送用のアップリンク波形を特定することは、パス損失または現在の送信電力クラスの参照値が第１所定閾値より小さくまたは第１所定閾値以下である場合、端末の情報伝送用のアップリンク波形がＣＰ−ＯＦＤＭであると特定すること、および、パス損失または現在の送信電力クラスの参照値が第１所定閾値より大きくまたは第１所定閾値以上である場合、端末の情報伝送用のアップリンク波形がＤＦＴ−ｓ−ＯＦＤＭであると特定することを含む。
【手続補正４２】
【補正対象書類名】明細書
【補正対象項目名】０１５３
【補正方法】変更
【補正の内容】
【０１５３】
具体的に、前記参照データにダウンリンク参照信号受信電力、ダウンリンク参照信号受信品質またはアップリンク電力ヘッドルームが含まれる場合、前記報知情報に基づいて端末の情報伝送用のアップリンク波形を特定することは、ダウンリンク参照信号受信電力、ダウンリンク参照信号受信品質またはアップリンク電力ヘッドルームの参照値が第２所定閾値より小さくまたは第２所定閾値以下である場合、端末の情報伝送用のアップリンク波形がＤＦＴ−ｓ−ＯＦＤＭであると特定すること、および、ダウンリンク参照信号受信電力、ダウンリンク参照信号受信品質またはアップリンク電力ヘッドルームの参照値が第２所定閾値より大きくまたは第２所定閾値以上である場合、端末の情報伝送用のアップリンク波形がＣＰ−ＯＦＤＭであると特定することを含む。
【手続補正４３】
【補正対象書類名】明細書
【補正対象項目名】０１７３
【補正方法】変更
【補正の内容】
【０１７３】
前記メモリ６３は、前記プロセッサ６１による操作実行に用いられるプログラムおよびデータを記憶することに用いられる。プロセッサ６１は、前記メモリ６３に格納されているプログラムおよびデータを呼び出して実行すると、端末の情報伝送用のアップリンク波形を特定するプロセスを実行する。ここで、前記端末の情報伝送用のアップリンク波形を特定することは、プロトコルによって予め指定された所定条件とアップリンク波形との対応関係に基づいて、端末の現在の情報伝送用のアップリンク波形を特定すること、または、周波数帯域、端末のサービス種類、リンク種類、セル半径の大きさまたは端末のカバレッジ状況に基づいて、端末の情報伝送用のアップリンク波形を特定すること、または、端末の報知情報に基づいて、端末の情報伝送用のアップリンク波形を特定することを含む。
【国際調査報告】
2020501408.tif 000018
2020501408.tif 000019
2020501408.tif 000020
2020501408.tif 000021